(57)【要約】      （修正有）【課題】ワイヤレス通信システムおいて、事業者間の合意に従って無認可無線周波数スペクトル帯域を介してデータを送信する方法を提供する。【解決手段】ワイヤレス通信の方法であって、無認可無線周波数スペクトル帯域を介して事業者の展開中の第１の事業者に関連する第１のノードに対するクリアチャネルアセスメント（ＣＣＡ）を実行することと、ＣＣＡが成功すると、無認可無線周波数スペクトル帯域を介してデータを送信することと、データが、第１の事業者と事業者の前記展開中の第２の事業者との間の合意に従って前記第１のノードによって送信されることと、を備える。【選択図】図１４
2020074540.tif 000002
【特許請求の範囲】
【請求項１】
ワイヤレス通信の方法であって、
無認可無線周波数スペクトル帯域を介して事業者の展開中の第１の事業者に関連する第１のノードに対するクリアチャネルアセスメント（ＣＣＡ）を実行することと、
前記ＣＣＡが成功すると、前記無認可無線周波数スペクトル帯域を介してデータを送信することと、前記データが、前記第１の事業者と事業者の前記展開中の第２の事業者との間の合意に従って前記第１のノードによって送信される、
を備える、ワイヤレス通信の方法。
【請求項２】
前記第１のノードと前記第２の事業者に関連する第２のノードとの間で前記データの前記送信を協調させること
をさらに備える、請求項１に記載の方法。
【請求項３】
前記第１のノードによって、前記データの前記送信に関連するフレームのための前記ＣＣＡのロケーションを決定すること、
ここにおいて、前記フレームのための前記ＣＣＡの前記ロケーションが、前記第１のノードと前記第２のノードとに対して同じである、
をさらに備える、請求項２に記載の方法。
【請求項４】
前記第２の事業者からの前記データの前記送信に関連するフレームのための前記第２のノードのＣＣＡが失敗すると、前記第１のノードが前記データを送信する、請求項２に記載の方法。
【請求項５】
前記データの前記送信に関連するフレームのための前記第２のノードのＣＣＡが成功すると、前記第１のノードが、前記第２のノードによる前記データの送信と並行して、前記データを送信する、請求項２に記載の方法。
【請求項６】
前記第１のノードが、前記データを送信するためにマルチキャストチャネル（ＭＣＣＨ）構成を使用する、ここにおいて、前記ＭＣＣＨ構成が、前記第１のノードと前記第２のノードとに共通である、請求項２に記載の方法。
【請求項７】
前記第１のノードが、前記データを送信するために同期プロトコルデータユニット（ＳＹＮＣ  ＰＤＵ）を使用する、ここにおいて、前記ＳＹＮＣ  ＰＤＵが、前記第１のノードと前記第２のノードとに共通である、請求項２に記載の方法。
【請求項８】
前記データの前記送信が、マルチメディア・ブロードキャスト・マルチキャスト・サービス（ＭＢＭＳ）送信、ユニキャスト送信、または前記第１のノードと前記第２のノードとによる多地点協調（ＣｏＭＰ）送信のうちの少なくとも１つの一部である、請求項２に記載の方法。
【請求項９】
前記第１のノードによって、前記第２のノードの送信ステータスに基づいて、前記ＣＣＡが成功した前記無認可無線周波数スペクトル帯域のフレーム中に前記データを送信すべきかどうかを決定すること
をさらに備える、請求項２に記載の方法。
【請求項１０】
前記第２のノードによる前記データの送信を検出したことに応答して、前記フレーム中に前記第１のノードによって前記データを送信すること
をさらに備える、請求項９に記載の方法。
【請求項１１】
前記フレーム中に前記データの前記第２のノードによる送信の欠如を検出したことに応答して、前記フレーム中に前記第１のノードによって前記データを送信すること
をさらに備える、請求項９に記載の方法。
【請求項１２】
前記第１の事業者と前記第２の事業者との間の前記合意が、前記データを送信するために割り当てられる前記第１のノードの帯域幅の割合を定義する、請求項１に記載の方法。
【請求項１３】
前記第１の事業者と前記第２の事業者との間の前記合意が、あらかじめ定義された合意または機会主義的な合意のうちの少なくとも１つを備える、請求項１に記載の方法。
【請求項１４】
前記第１のノードによって、前記データの前記送信に関する情報を受信すること、前記情報が、ＯＡＭサーバ、前記第２の事業者に通信可能に結合された前記第１の事業者のマルチキャスト協調エンティティ、前記第２の事業者に関連する第２のノード、前記第１の事業者に関連する第３のノード、前記第２のノードによって送信されたサービス情報公報、または前記第２のノードによって送信されたマルチキャストチャネルのうちの少なくとも１つから受信される、
をさらに備える、請求項１に記載の方法。
【請求項１５】
前記データの前記送信に関する前記情報が、前記データまたは前記データの前記送信についての構成データのうちの少なくとも１つを備える、請求項１４に記載の方法。
【請求項１６】
ワイヤレス通信のための装置であって、
無認可無線周波数スペクトル帯域を介して事業者の展開中の第１の事業者に関連する第１のノードに対するクリアチャネルアセスメント（ＣＣＡ）を実行するための手段と、  前記ＣＣＡが成功すると、前記無認可無線周波数スペクトル帯域を介してデータを送信するための手段と、前記データが、前記第１の事業者と事業者の前記展開中の第２の事業者との間の合意に従って前記第１のノードによって送信される、
を備える、ワイヤレス通信のための装置。
【請求項１７】
前記第１のノードと前記第２の事業者に関連する第２のノードとの間で前記データの前記送信を協調させるための手段
をさらに備える、請求項１６に記載の装置。
【請求項１８】
前記第１のノードによって、前記データの前記送信に関連するフレームのための前記ＣＣＡのロケーションを決定するための手段、
ここにおいて、前記フレームのための前記ＣＣＡの前記ロケーションが、前記第１のノードと前記第２のノードとに対して同じである、
をさらに備える、請求項１７に記載の装置。
【請求項１９】
前記第２の事業者からの前記データの前記送信に関連するフレームのための前記第２のノードのＣＣＡが失敗すると、前記第１のノードが前記データを送信する、請求項１７に記載の装置。
【請求項２０】
前記データの前記送信に関連するフレームのための前記第２のノードのＣＣＡが成功すると、前記第１のノードが、前記第２のノードによる前記データの送信と並行して、前記データを送信する、請求項１７に記載の装置。
【請求項２１】
ワイヤレス通信のための装置であって、
プロセッサと、
前記プロセッサに結合されたメモリと、ここにおいて、前記プロセッサが、
無認可無線周波数スペクトル帯域を介して事業者の展開中の第１の事業者に関連する第１のノードに対するクリアチャネルアセスメント（ＣＣＡ）を実行することと、
前記ＣＣＡが成功すると、前記無認可無線周波数スペクトル帯域を介してデータを送信することと、前記データが、前記第１の事業者と事業者の前記展開中の第２の事業者との間の合意に従って前記第１のノードによって送信される、
を行うように構成された、
を備える、ワイヤレス通信のための装置。
【請求項２２】
前記プロセッサが、
前記第１のノードと前記第２の事業者に関連する第２のノードとの間で前記データの前記送信を協調させること
を行うように構成された、請求項２１に記載の装置。
【請求項２３】
前記プロセッサが、
前記第１のノードによって、前記データの前記送信に関連するフレームのための前記ＣＣＡのロケーションを決定すること、
ここにおいて、前記フレームのための前記ＣＣＡの前記ロケーションが、前記第１のノードと前記第２のノードとに対して同じである、
を行うように構成された、請求項２２に記載の装置。
【請求項２４】
前記第２の事業者からの前記データの前記送信に関連するフレームのための前記第２のノードのＣＣＡが失敗すると、前記第１のノードが前記データを送信する、請求項２２に記載の装置。
【請求項２５】
前記データの前記送信に関連するフレームのための前記第２のノードのＣＣＡが成功すると、前記第１のノードが、前記第２のノードによる前記データの送信と並行して、前記データを送信する、請求項２２に記載の装置。
【請求項２６】
前記第１のノードが、前記データを送信するためにマルチキャストチャネル（ＭＣＣＨ）構成を使用する、ここにおいて、前記ＭＣＣＨ構成が、前記第１のノードと前記第２のノードとに共通である、請求項２２に記載の装置。
【請求項２７】
前記データの前記送信が、マルチメディア・ブロードキャスト・マルチキャスト・サービス（ＭＢＭＳ）送信、ユニキャスト送信、または前記第１のノードと前記第２のノードとによる多地点協調（ＣｏＭＰ）送信のうちの少なくとも１つの一部である、請求項２２に記載の装置。
【請求項２８】
プロセッサによって実行可能な命令を記憶するための非一時的コンピュータ可読媒体であって、
無認可無線周波数スペクトル帯域を介して事業者の展開中の第１の事業者に関連する第１のノードに対するクリアチャネルアセスメント（ＣＣＡ）を実行するための命令と、  前記ＣＣＡが成功すると、前記無認可無線周波数スペクトル帯域を介してデータを送信するための命令と、前記データが、前記第１の事業者と事業者の前記展開中の第２の事業者との間の合意に従って前記第１のノードによって送信される、
を備える、非一時的コンピュータ可読媒体。
【請求項２９】
前記命令が、
前記第１のノードと前記第２の事業者に関連する第２のノードとの間で前記データの前記送信を協調させること
を行うために、前記プロセッサによって実行可能である、請求項２８に記載の非一時的コンピュータ可読媒体。
【請求項３０】
前記データの前記送信が、マルチメディア・ブロードキャスト・マルチキャスト・サービス（ＭＢＭＳ）送信、ユニキャスト送信、または前記第１のノードと前記第２のノードとによる多地点協調（ＣｏＭＰ）送信のうちの少なくとも１つの一部である、請求項２９に記載の非一時的コンピュータ可読媒体。
【発明の詳細な説明】
【技術分野】
【０００１】
相互参照
[0001]本特許出願は、各々が本出願の譲受人に譲渡された、２０１５年３月６日に出願された「Ｔｅｃｈｎｉｑｕｅｓ  Ｆｏｒ  Ｔｒａｎｓｍｉｔｔｉｎｇ  Ｄａｔａ  Ｏｖｅｒ  Ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ  Ｉｎ  Ａｃｃｏｒｄａｎｃｅ  Ｗｉｔｈ  Ａｎ  Ａｇｒｅｅｍｅｎｔ  Ｂｅｔｗｅｅｎ  Ｏｐｅｒａｔｏｒｓ」と題するＺｈａｎｇらによる米国特許出願第１４／６４０，３０１号、および２０１４年４月１７日に出願された「Ｔｅｃｈｎｉｑｕｅｓ  Ｆｏｒ  Ｔｒａｎｓｍｉｔｔｉｎｇ  Ｄａｔａ  Ｏｖｅｒ  Ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ  Ｉｎ  Ａｃｃｏｒｄａｎｃｅ  Ｗｉｔｈ  Ａｎ  Ａｇｒｅｅｍｅｎｔ  Ｂｅｔｗｅｅｎ  Ｏｐｅｒａｔｏｒｓ」と題するＺｈａｎｇらによる米国仮特許出願第６１／９８０，９８０号の優先権を主張する。
【０００２】
[0002]本開示は、たとえば、ワイヤレス通信システムに関し、より詳細には、事業者間の合意に従って無認可無線周波数スペクトル帯域を介してデータを送信するための技法に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多重接続システムであり得る。そのような多重接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が複数のユーザ機器（ＵＥ）のための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの異なる無線周波数スペクトル帯域（たとえば、認可無線周波数スペクトル帯域および／または無認可無線周波数スペクトル帯域）を介してのＵＥとの通信を可能にし得る。セルラーネットワークにおけるデータトラフィックの増加とともに、少なくとも一部のデータトラフィックの、無認可無線周波数スペクトル帯域へのオフローディングは、セルラー事業者に拡張データ送信容量のための機会を提供し得る。無認可無線周波数スペクトル帯域へのアクセスを獲得し、無認可無線周波数スペクトル帯域を介してデータを送信するより前に、送信装置は、いくつかの例では、無認可無線周波数スペクトル帯域へのアクセスを獲得するために、リッスンビフォアトーク（ＬＢＴ：listen before talk）手順を実施し得る。ＬＢＴ手順は、無認可無線周波数スペクトル帯域のチャネルが利用可能であるかどうかを決定するためにクリアチャネルアセスメント（ＣＣＡ：clear channel assessment）を実施することを含み得る。（たとえば、別のデバイスが無認可無線周波数スペクトル帯域のチャネルをすでに使用しているので）無認可無線周波数スペクトル帯域のチャネルが利用可能でないと決定されたとき、後で再びチャネルのためにＣＣＡが実施され得る。
【０００６】
[0006]無認可無線周波数スペクトル帯域へのアクセスを取得することについての信頼できない性質は、無認可無線周波数スペクトル帯域を介したデータの送信を予測不可能にさせ得る。そのような予測不能性（unpredictability）は、ストリーミング送信および／または緊急送信などのマルチキャスト・ブロードキャスト送信について特に困難であり得る。
【発明の概要】
【０００７】
[0007]本開示は、たとえば、事業者間の合意に従って無認可無線周波数スペクトル帯域を介してデータを送信するための１つまたは複数の技法に関する。本明細書で説明する技法のうちのいくつかは、２つ以上の事業者による無認可無線周波数スペクトル帯域を介した協調送信（coordinated transmission）を可能にし得る。いくつかの例では、事業者間の合意の一部である事業者のうちの１つまたは複数は、それらが無認可無線周波数スペクトル帯域へのアクセスを有し、（たとえば、マルチキャスト・ブロードキャスト単一周波数ネットワーク（ＭＢＳＦＮ：multicast-broadcast single-frequency network）フレーム中に）データを送信することが可能であるときはいつでも、合意を条件とするデータを送信し（transmit data subject to the agreement）得る。他の例では、事業者間の合意の一部である事業者のうちの１つまたは複数は、事業者のうちの別の事業者もデータを送信するとき、および／または（たとえば、事業者が無認可無線周波数スペクトル帯域へのアクセスを獲得することができないので）事業者のうちの別の事業者がデータを送信することができないとき、合意を条件とするデータを機会主義的に（opportunistically）送信し得る。
【０００８】
[0008]例示的な例の第１のセットでは、ワイヤレス通信の方法について説明する。一例では、本方法は、無認可無線周波数スペクトル帯域を介して事業者の展開中の第１の事業者（a first operator in a deployment of operators）に関連する第１のノードに対するクリアチャネルアセスメント（ＣＣＡ）を実行することと、ＣＣＡが成功すると、無認可無線周波数スペクトル帯域を介してデータを送信することとを含み得る。データは、第１の事業者と事業者の展開中の第２の事業者との間の合意に従って第１のノードによって送信され得る。
【０００９】
[0009]いくつかの例では、本方法は、第１のノードと第２の事業者に関連する第２のノードとの間でデータの送信を協調させることを含み得る。いくつかの例では、本方法は、第１のノードによって、データの送信に関連するフレームのためのＣＣＡのロケーションを決定することを含み得る。フレームのためのＣＣＡのロケーションは、第１のノードと第２のノードとに対して同じであり得る。
【００１０】
[0010]本方法のいくつかの例では、第２の事業者からのデータの送信に関連するフレームのための第２のノードのＣＣＡが失敗すると、第１のノードはデータを送信し得る。本方法のいくつかの例では、データの送信に関連するフレームのための第２のノードのＣＣＡが成功すると、第１のノードは、第２のノードによるデータの送信と並行して、データを送信し得る。
【００１１】
[0011]本方法のいくつかの例では、第１のノードは、データを送信するためにマルチキャストチャネル（ＭＣＣＨ：multicast channel）構成を使用し得る。ＭＣＣＨ構成は、第１のノードと第２のノードとに共通であり得る。本方法のいくつかの例では、第１のノードは、データを送信するために同期プロトコルデータユニット（ＳＹＮＣ  ＰＤＵ：synchronization protocol data unit）を使用し得る。ＳＹＮＣ  ＰＤＵは、第１のノードと第２のノードとに共通であり得る。本方法のいくつかの例では、データの送信は、マルチメディア・ブロードキャスト・マルチキャスト・サービス（ＭＢＭＳ：multimedia broadcast multicast service）送信、ユニキャスト送信、または第１のノードと第２のノードとによる多地点協調（ＣｏＭＰ：coordinated multipoint）送信のうちの少なくとも１つの一部であり得る。
【００１２】
[0012]いくつかの例では、本方法は、第１のノードによって、第２のノードの送信ステータスに基づいて、ＣＣＡが成功した無認可無線周波数スペクトル帯域のフレーム中にデータを送信すべきかどうかを第２のノードの送信ステータスに基づいて決定することを含み得る。いくつかの例では、データは、第２のノードによるデータの送信を検出したことに応答して、フレーム中に第１のノードによって送信され得る。いくつかの例では、本方法は、フレーム中にデータの第２のノードによる送信の欠如（an absence）を検出したことに応答して、フレーム中に第１のノードによってデータを送信することを含み得る。
【００１３】
[0013]いくつかの例では、第１のノードまたは第２のノードのうちの少なくとも１つは、ロングタームエボリューション（ＬＴＥ（登録商標））拡張ノードＢ（ｅＮＢ）を含み得る。
【００１４】
[0014]本方法のいくつかの例では、第１の事業者と第２の事業者との間の合意は、データを送信するために割り当てられる第１のノードの帯域幅の割合（a proportion）を定義し得る。本方法のいくつかの例では、第１の事業者と第２の事業者との間の合意は、あらかじめ定義された合意または機会主義的な合意（an opportunistic agreement）のうちの少なくとも１つを含み得る。
【００１５】
[0015]いくつかの例では、本方法は、第１のノードによって、データの送信に関する情報を受信することを含み得る。情報は、運用、管理、および保守（ＯＡＭ）サーバ、第２の事業者に通信可能に結合された第１の事業者のマルチキャスト協調エンティティ、第２の事業者に関連する第２のノード、第１の事業者に関連する第３のノード、第２のノードによって送信されたサービス情報公報（a service information bulletin）、または第２のノードによって送信されたマルチキャストチャネルのうちの少なくとも１つから受信され得る。これらの例のいくつかでは、データの送信に関する情報は、データまたはデータの送信についての構成データのうちの少なくとも１つを含み得る。
【００１６】
[0016]本方法のいくつかの例では、第１の事業者と第２の事業者とは、異なるパブリックランドモバイルネットワーク（ＰＬＭＮ：public land mobile networks）を含み得る。
【００１７】
[0017]例示的な例の第２のセットでは、ワイヤレス通信のための装置について説明する。一例では、本装置は、無認可無線周波数スペクトル帯域を介して事業者の展開中の第１の事業者に関連する第１のノードに対するＣＣＡを実行するための手段と、ＣＣＡが成功すると、無認可無線周波数スペクトル帯域を介してデータを送信するための手段とを含み得る。データは、第１の事業者と事業者の展開中の第２の事業者との間の合意に従って第１のノードによって送信され得る。いくつかの例では、本装置は、例示的な例の第１のセットに関して上記で説明したワイヤレス通信のための方法の１つまたは複数の態様を実装するための手段をさらに含み得る。
【００１８】
[0018]例示的な例の第３のセットでは、ワイヤレス通信のための別の装置について説明する。一例では、本装置は、プロセッサと、プロセッサに結合されたメモリとを含み得る。プロセッサは、無認可無線周波数スペクトル帯域を介して事業者の展開中の第１の事業者に関連する第１のノードに対するＣＣＡを実行することと、ＣＣＡが成功すると、無認可無線周波数スペクトル帯域を介してデータを送信することとを行うように構成され得る。データは、第１の事業者と事業者の展開中の第２の事業者との間の合意に従って第１のノードによって送信され得る。いくつかの例では、プロセッサは、例示的な例の第１のセットに関して上記で説明したワイヤレス通信のための方法の１つまたは複数の態様を実装するように構成され得る。
【００１９】
[0019]例示的な例の第４のセットでは、ワイヤレス通信システム中のワイヤレス通信装置による通信のためのコンピュータプログラム製品について説明する。一例では、コンピュータプログラム製品は、無認可無線周波数スペクトル帯域を介して事業者の展開中の第１の事業者に関連する第１のノードに対するＣＣＡを実行することと、ＣＣＡが成功すると、無認可無線周波数スペクトル帯域を介してデータを送信することとをワイヤレス通信装置に行わせるようにプロセッサによって実行可能な命令を記憶するための非一時的コンピュータ可読媒体を含み得る。データは、第１の事業者と事業者の展開中の第２の事業者との間の合意に従って第１のノードによって送信され得る。いくつかの例では、命令はまた、例示的な例の第１のセットに関して上記で説明したワイヤレス通信のための方法の１つまたは複数の態様を実装することをワイヤレス通信装置に行わせるようにプロセッサによって実行可能であり得る。
【００２０】
[0020]例示的な例の第５のセットでは、ワイヤレス通信の別の方法について説明する。一例では、本方法は、無認可無線周波数スペクトル帯域を介して、ユーザ機器（ＵＥ）において、事業者の展開中の第１の事業者に関連する第１のノードから第１の送信を受信することを含み得る。第１の送信は、事業者の展開中の第２の事業者から発信されたデータを含み得る。
【００２１】
[0021]本方法のいくつかの例では、ＵＥは、第２の事業者に関連する第２のノードに接続され得る。いくつかの例では、本方法は、第１の送信より前に第２のノードから第１の送信についてのスケジューリング情報を受信することを含み得る。
【００２２】
[0022]いくつかの例では、本方法は、無認可無線周波数スペクトル帯域を介して第２のノードから第２の送信を受信することを含み得る。第２の送信は、第２の事業者から発信されたデータを含み得る。いくつかの例では、第１の送信と第２の送信とは同時であり得る。いくつかの例では、第１の送信または第２の送信のうちの少なくとも１つは、ＭＢＭＳ送信、ユニキャスト送信、または第１のノードと第２のノードとによる多地点協調（ＣｏＭＰ）送信のうちの少なくとも１つの一部であり得る。いくつかの例では、本方法は、第１のフレーム中に第１のノードからデータの第１の部分を受信することと、第２のフレーム中に第２のノードからデータの第２の部分を受信することとを含み得る。
【００２３】
[0023]例示的な例の第６のセットでは、ワイヤレス通信の別の装置について説明する。一例では、本装置は、無認可無線周波数スペクトル帯域を介して、ＵＥにおいて、事業者の展開中の第１の事業者に関連する第１のノードから第１の送信を受信するための手段を含み得る。第１の送信は、事業者の展開中の第２の事業者から発信されたデータを含み得る。いくつかの例では、本装置は、例示的な例の第５のセットに関して上記で説明したワイヤレス通信のための方法の１つまたは複数の態様を実装するための手段をさらに含み得る。
【００２４】
[0024]例示的な例の第７のセットでは、ワイヤレス通信のための別の装置について説明する。一例では、本装置は、プロセッサと、プロセッサに結合されたメモリとを含み得る。プロセッサは、無認可無線周波数スペクトル帯域を介して、ＵＥにおいて、事業者の展開中の第１の事業者に関連する第１のノードから第１の送信を受信するように構成され得る。第１の送信は、事業者の展開中の第２の事業者から発信されたデータを含み得る。いくつかの例では、プロセッサは、例示的な例の第５のセットに関して上記で説明したワイヤレス通信のための方法の１つまたは複数の態様を実装するように構成され得る。
【００２５】
[0025]例示的な例の第８のセットでは、ワイヤレス通信システム中のワイヤレス通信装置による通信のためのコンピュータプログラム製品について説明する。一例では、コンピュータプログラム製品は、無認可無線周波数スペクトル帯域を介して、ＵＥにおいて、事業者の展開中の第１の事業者に関連する第１のノードから第１の送信を受信することをワイヤレス通信装置に行わせるようにプロセッサによって実行可能な命令を記憶するための非一時的コンピュータ可読媒体を含み得る。第１の送信は、事業者の展開中の第２の事業者から発信されたデータを含み得る。いくつかの例では、命令はまた、例示的な例の第５のセットに関して上記で説明したワイヤレス通信のための方法の１つまたは複数の態様を実装することをワイヤレス通信装置に行わせるようにプロセッサによって実行可能であり得る。
【００２６】
[0026]上記では、以下の詳細な説明がより良く理解され得るように、本開示による例の特徴および技術的利点をかなり広範に概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲を定めるものではない。
【００２７】
[0027]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【００２８】
[0028]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２９】
【図１】[0029]本開示の様々な態様による、ワイヤレス通信システムのブロック図。
【図２】[0030]本開示の様々な態様による、無認可無線周波数スペクトル帯域を使用する異なるシナリオの下でロングタームエボリューション（ＬＴＥ）／ＬＴＥアドバンスト（ＬＴＥ−Ａ）が展開されるワイヤレス通信システムを示す図。
【図３】[0031]本開示の様々な態様による、事業者間の合意に従って動作する２つの異なる事業者（たとえば、第１の事業者および第２の事業者）によって無認可無線周波数スペクトル帯域を介してＬＴＥ／ＬＴＥ−Ａが展開されるワイヤレス通信システムを示す図。
【図４】[0032]本開示の様々な態様による、無認可無線周波数スペクトル帯域におけるゲーティング間隔（a gating interval）（またはリッスンビフォアトーク（ＬＢＴ）フレーム）の例を示す図。
【図５】[0033]本開示の様々な態様による、無認可無線周波数スペクトル帯域にわたるワイヤレス通信の一例を示す図。
【図６】[0034]本開示の様々な態様による、事業者間のあらかじめ定義された合意に従ってデータがどのように送信され得るかの一例を示す図。
【図７】[0035]本開示の様々な態様による、ワイヤレス通信において使用するための装置のブロック図。
【図８】[0036]本開示の様々な態様による、ワイヤレス通信において使用するための装置のブロック図。
【図９】[0037]本開示の様々な態様による、ワイヤレス通信において使用するための装置のブロック図。
【図１０】[0038]本開示の様々な態様による、ワイヤレス通信において使用するための装置のブロック図。
【図１１】[0039]本開示の様々な態様による、ワイヤレス通信において使用するための装置のブロック図。
【図１２】[0040]本開示の様々な態様による、ワイヤレス通信において使用するための基地局（たとえば、発展型ノードＢ（ｅＮＢ）の一部または全部を形成する基地局）のブロック図。
【図１３】[0041]本開示の様々な態様による、ワイヤレス通信において使用するためのユーザ機器（ＵＥ）のブロック図。
【図１４】[0042]本開示の様々な態様による、ワイヤレス通信の方法の一例を示すフローチャート。
【図１５】[0043]本開示の様々な態様による、ワイヤレス通信の方法の一例を示すフローチャート。
【図１６】[0044]本開示の様々な態様による、ワイヤレス通信の方法の一例を示すフローチャート。
【図１７】[0045]本開示の様々な態様による、ワイヤレス通信の方法の一例を示すフローチャート。
【図１８】[0046]本開示の様々な態様による、ワイヤレス通信の方法の一例を示すフローチャート。
【図１９】[0047]本開示の様々な態様による、ワイヤレス通信の方法の一例を示すフローチャート。
【詳細な説明】
【００３０】
[0048]事業者間の合意に従って無認可無線周波数スペクトル帯域（たとえば、無線周波数スペクトル帯域が、少なくとも部分的にＷｉ−Ｆｉ（登録商標）使用および／または無認可ロングタームエボリューション（ＬＴＥ）／ＬＴＥアドバンスト（ＬＴＥ−Ａ）使用などの無認可使用のために利用可能であるので、装置がアクセスを求めて競合する必要があり得る無線周波数スペクトル帯域）を介してデータが送信される技法について説明する。いくつかの例では、無認可無線周波数スペクトル帯域はセルラー通信（たとえば、ＬＴＥ通信および／またはＬＴＥ−Ａ通信）のために使用され得る。
【００３１】
[0049]セルラーネットワークにおけるデータトラフィックの増加とともに、少なくとも一部のデータトラフィックの、無認可無線周波数スペクトル帯域へのオフローディングは、セルラー事業者（たとえば、パブリックランドモバイルネットワーク（ＰＬＭＮ）、および／またはＬＴＥ／ＬＴＥ−Ａネットワークなどのセルラーネットワークを定義する基地局の協調セットの事業者）に拡張データ送信容量のための機会を提供し得る。場合によっては、基地局とユーザ機器（ＵＥ）との間のすべての通信は、無認可無線周波数スペクトル帯域を介して行われ得る。
【００３２】
[0050]無認可無線周波数スペクトル帯域へのアクセスを獲得し、無認可無線周波数スペクトル帯域を介してデータを通信するより前に、送信装置は、いくつかの例では、無認可無線周波数スペクトル帯域へのアクセスを獲得するために、リッスンビフォアトーク（ＬＢＴ）手順を実施し得る。そのようなＬＢＴ手順は、無認可無線周波数スペクトル帯域のチャネルが利用可能であるかどうかを決定するためにクリアチャネルアセスメント（ＣＣＡ）を実施することを含み得る。チャネルが利用可能でないと決定されたとき、後で再びそのチャネルのためにＣＣＡが実施され得る。無認可無線周波数スペクトル帯域へのアクセスを取得することについての予測不可能な性質は、無認可無線周波数スペクトル帯域を介したデータの送信を予測不可能にさせ得る。そのような予測不能性は、ストリーミング送信および／または緊急送信などのマルチキャスト・ブロードキャスト送信について特に困難であり得る。
【００３３】
[0051]本明細書で説明する技法のうちのいくつかは、２つ以上の事業者による無認可無線周波数スペクトル帯域を介した協調送信を可能にし得る。いくつかの例では、事業者間の合意の一部である事業者のうちの１つまたは複数は、それらが無認可無線周波数スペクトル帯域へのアクセスを有し、（たとえば、マルチキャスト・ブロードキャスト単一周波数ネットワーク（ＭＢＳＦＮ）フレーム中に）データを送信することが可能であるときはいつでも、合意を条件とするデータを送信し得る。他の例では、事業者間の合意の一部である事業者のうちの１つまたは複数は、事業者のうちの別の事業者もデータを送信するとき、および／または（たとえば、事業者が無認可無線周波数スペクトル帯域へのアクセスを獲得することができないので）事業者のうちの別の事業者がデータを送信することができないとき、機会主義的に合意を条件とするデータを送信し得る。
【００３４】
[0052]いくつかの例では、本明細書で説明する技法により、地理的エリアまたはベニュー（venue）内の同じコンテンツの重複送信を回避するために、異なる事業者によるコンテンツ共有が可能になり得る。いくつかの例では、本明細書で説明する技法により、無認可無線周波数スペクトル帯域を介して高帯域幅を必要とする高解像度（ＨＤ：high definition）サービスおよび／または４Ｋプレミアムサービスの送信が可能になり得る。
【００３５】
[0053]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実装し得る。ＵＴＲＡおよびＥ−ＵＴＲＡはユニバーサル・モバイル通信システム（ＵＭＴＳ）の一部である。３ＧＰＰ（登録商標）  ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。しかしながら、以下の説明では、例としてＬＴＥシステムについて説明し、以下の説明の大部分でＬＴＥ用語が使用されるが、本技法はＬＴＥ適用例以外に適用可能である。
【００３６】
[0054]以下の説明は例を提供するものであり、特許請求の範囲に記載される範囲、適用可能性、または例を限定するものではない。本開示の趣旨および範囲から逸脱することなく、説明する要素の機能および配置において変更が行われ得る。様々な例は、適宜に様々な手順または構成要素を省略、置換、または追加し得る。たとえば、説明する方法は、説明する順序とは異なる順序で実施され得、様々なステップが追加、省略、または組み合わされ得る。また、いくつかの例に関して説明する特徴は、他の例において組み合わされ得る。
【００３７】
[0055]図１は、本開示の様々な態様による、ワイヤレス通信システム１００のブロック図を示す。ワイヤレス通信システム１００は、複数の基地局１０５（たとえば、１つまたは複数の発展型ノードＢ（ｅＮＢ）の一部または全体を形成する基地局）と、いくつかのＵＥ１１５と、コアネットワーク１３０とを含み得る。基地局１０５のいくつかは、様々な例ではコアネットワーク１３０の一部または基地局１０５のうちのいくつかであり得る、基地局コントローラ（図示せず）の制御下でＵＥ１１５と通信し得る。基地局１０５のうちのいくつかは、バックホール１３２を通してコアネットワーク１３０と制御情報および／またはユーザデータを通信し得る。いくつかの例では、基地局１０５のうちのいくつかは、ワイヤードまたはワイヤレス通信リンクであり得るバックホールリンク１３４を介して互いに直接または間接的に通信し得る。ワイヤレス通信システム１００は、複数のキャリア（様々な周波数の波形信号）上での動作をサポートし得る。マルチキャリア送信機は、複数のキャリア上で同時に変調された信号を送信することができる。たとえば、各通信リンク１２５は、様々な無線技術に従って変調されたマルチキャリア信号であり得る。各々の変調された信号は、異なるキャリア上で送られ得、制御情報（たとえば、基準信号、制御チャネルなど）、オーバーヘッド情報、データなどを搬送し得る。
【００３８】
[0056]基地局１０５は、１つまたは複数の基地局アンテナを介してＵＥ１１５とワイヤレス通信し得る。基地局１０５の各々は、それぞれのカバレージエリア１１０に対して通信カバレージを提供し得る。いくつかの例では、基地局１０５は、アクセスポイント、基地トランシーバ局（ＢＴＳ）、無線基地局、無線トランシーバ、基本サービスセット（ＢＳＳ）、拡張サービスセット（ＥＳＳ）、ノードＢ、ｅＮＢ、ホームノードＢ、ホームｅノードＢ、ワイヤレスローカルエリアネットワーク（ＷＬＡＮ）アクセスポイント、Ｗｉ−Ｆｉノード、または何らかの他の好適な用語で呼ばれることがある。基地局１０５のためのカバレージエリア１１０は、カバレージエリアの一部分のみを構成するセクタに分割され得る。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術などの異なる無線技術を利用し得る。基地局１０５は、同じまたは異なるアクセスネットワークまたは事業者展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは重複し得る。
【００３９】
[0057]いくつかの例では、ワイヤレス通信システム１００はＬＴＥ／ＬＴＥ−Ａ通信システム（またはネットワーク）を含み得、そのＬＴＥ／ＬＴＥ−Ａ通信システムは、認可無線周波数スペクトル帯域（たとえば、スペクトル帯域が特定の使用のために特定のユーザに認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）における１つまたは複数の動作モードまたは展開をサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、たとえば、基地局１０５の各々またはグループを記述するために、発展型ノードＢまたはｅＮＢという用語が使用され得る。
【００４０】
[0058]ワイヤレス通信システム１００は、異なるタイプの基地局１０５が様々な地理的領域に対してカバレージを提供する、異機種ＬＴＥ／ＬＴＥ−Ａネットワークであるかまたはそれを含み得る。たとえば、各基地局１０５は、マクロセル、ピコセル、フェムトセル、および／または他のタイプのセルに対して通信カバレージを提供し得る。ピコセル、フェムトセル、および／または他のタイプのセルなどのスモールセルは、低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーし、ネットワークプロバイダのサービスに加入しているＵＥによる無制限アクセスを可能にし得る。また、フェムトセルは、たとえば、比較的小さい地理的エリア（たとえば、自宅）をカバーし、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスも提供し得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００４１】
[0059]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介しておよび／またはバックホール１３２を介して（たとえば、コアネットワーク１３０を通じて）、直接または間接的に互いに通信し得る。ワイヤレス通信システム１００は、同期動作または非同期動作をサポートし得る。同期動作の場合、ｅＮＢは同様のフレームおよび／またはゲーティングタイミングを有し得、異なるｅＮＢからの送信は時間的にほぼ整合され得る。非同期動作の場合、ｅＮＢは異なるフレームおよび／またはゲーティングタイミングを有し得、異なるｅＮＢからの送信は時間的に整合されないことがある。
【００４２】
[0060]ＵＥ１１５は、ワイヤレス通信システム１００全体にわたって分散されていることがある。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮ（たとえば、Ｗｉ−Ｆｉ）アクセスネットワークなど、異なるタイプのアクセスネットワーク上で通信することが可能であり得る。ＵＥ１１５との通信のいくつかのモードでは、複数の通信リンク１２５またはチャネル（すなわち、コンポーネントキャリア）を介して通信が行われ得、各チャネルは、ＵＥ１１５といくつかのセル（たとえば、場合によってはそれらのセルが同じまたは異なる基地局１０５によって動作され得る、サービングセル）の１つとの間のコンポーネントキャリアを使用する。
【００４３】
[0061]各コンポーネントキャリアは、認可無線周波数スペクトル帯域または無認可無線周波数スペクトル帯域を介して提供され得、特定の通信モードで使用されるコンポーネントキャリアのセットは、すべて、（たとえば、ＵＥ１１５において）認可無線周波数スペクトル帯域を介して受信されるか、すべて、（たとえば、ＵＥ１１５において）無認可無線周波数スペクトル帯域を介して受信されるか、または（たとえば、ＵＥ１１５において）認可無線周波数スペクトル帯域と無認可無線周波数スペクトル帯域との組合せを介して受信され得る。いくつかの例では、複数の基地局１０５は、ＵＥ１１５のうちの１つまたは複数に（たとえば、発展型マルチメディア・ブロードキャスト・マルチキャスト・サービス（ｅＭＢＭＳ）を介した）ジョイント・マルチキャスト・ブロードキャスト単一周波数ネットワーク（ＭＢＳＦＮ）送信および／またはユニキャスト多地点協調（ＣｏＭＰ）送信を与えるために共同し、および／または協調させられ得る。
【００４４】
[0062]ワイヤレス通信システム１００に示された通信リンク１２５は、アップリンク（ＵＬ）通信（たとえば、ＵＥ１１５から基地局１０５への送信）を搬送するための（コンポーネントキャリアを使用する）アップリンクチャネル、および／またはダウンリンク（ＤＬ）通信（たとえば、基地局１０５からＵＥ１１５への送信）を搬送するための（コンポーネントキャリアを使用する）ダウンリンクチャネルを含み得る。ＵＬ通信または送信は逆方向リンク通信または送信と呼ばれることもあり、一方、ＤＬ通信または送信は順方向リンク通信または送信と呼ばれることもある。ダウンリンク通信および／またはアップリンク通信は、いくつかの例では、認可無線周波数スペクトル帯域、無認可無線周波数スペクトル帯域、またはその両方を使用して行われ得る。
【００４５】
[0063]ワイヤレス通信システム１００のいくつかの例では、ＬＴＥ／ＬＴＥ−Ａは、無認可無線周波数スペクトル帯域を使用する異なるシナリオの下で展開され得る。展開シナリオは、認可無線周波数スペクトル帯域におけるＬＴＥ／ＬＴＥ−Ａダウンリンク通信が無認可無線周波数スペクトル帯域にオフロードされ得る補足ダウンリンクモード、ＬＴＥ／ＬＴＥ−Ａダウンリンク通信とＬＴＥ／ＬＴＥ−Ａアップリンク通信の両方が認可無線周波数スペクトル帯域から無認可無線周波数スペクトル帯域にオフロードされ得るキャリアアグリゲーションモード、ならびに／あるいは基地局１０５とＵＥ１１５との間のＬＴＥ／ＬＴＥ−Ａダウンリンクおよびアップリンク通信が無認可無線周波数スペクトル帯域において行われ得るスタンドアロンモードを含み得る。基地局１０５ならびにＵＥ１１５は、いくつかの例では、これらまたは同様の動作モードのうちの１つまたは複数をサポートし得る。ＯＦＤＭＡ波形は、認可無線周波数スペクトル帯域および／または無認可無線周波数スペクトル帯域におけるＬＴＥ／ＬＴＥ−Ａダウンリンク通信のための通信リンク１２５において使用され得、ＯＦＤＭＡ、ＳＣ−ＦＤＭＡおよび／またはリソースブロックインターリーブＦＤＭＡ波形（resource block interleaved FDMA waveforms）は、認可無線周波数スペクトル帯域および／または無認可無線周波数スペクトル帯域におけるＬＴＥ／ＬＴＥ−Ａアップリンク通信のための通信リンク１２５において使用され得る。
【００４６】
[0064]時々、ワイヤレス通信システム１００の基地局１０５および／またはＵＥ１１５の異なる事業者が、それらのそれぞれのＵＥ１１５にデータを送信することについて協働することに同意し得る。いくつかの例では、合意を条件とするデータは、たとえば、緊急データ（たとえば、アンバーアラート（amber alerts）、気象警報、津波警報）、ブロードキャストデータ（たとえば、ブロードキャストスポーツイベント（a broadcast sporting event）に関係するデータ）などを含み得る。いくつかの例では、合意を条件とするデータは、異なる事業者の基地局１０５の（たとえば、ｅＭＢＭＳを介した）ジョイントＭＢＳＦＮ送信および／またはユニキャストＣｏＭＰ送信を介してＵＥ１１５に与えられ得る。いくつかの例では、合意を条件とするデータは、異なる事業者の基地局１０５によって無認可無線周波数スペクトル帯域を介して与えられ得る。
【００４７】
[0065]図２は、本開示の様々な態様による、無認可無線周波数スペクトル帯域を使用する異なるシナリオの下でＬＴＥ／ＬＴＥ−Ａが展開されるワイヤレス通信システム２００を示す。より詳細には、図２は、無認可無線周波数スペクトル帯域を使用してＬＴＥ／ＬＴＥ−Ａが展開される、補足ダウンリンクモードと、キャリアアグリゲーションモードと、スタンドアロンモードとの例を示す。ワイヤレス通信システム２００は、図１に関して説明したワイヤレス通信システム１００の部分の一例であり得る。その上、第１の基地局２０５および第２の基地局２０５−ａは、図１を参照しながら説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であり得る。
【００４８】
[0066]ワイヤレス通信システム２００における補足ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、無認可無線周波数スペクトル帯域において周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、認可無線周波数スペクトル帯域における周波数Ｆ４に関連付けられ得る。無認可無線周波数スペクトル帯域におけるダウンリンクチャネル２２０、および認可無線周波数スペクトル帯域における第１の双方向リンク２２５は、同時に動作し得る。ダウンリンクチャネル２２０は、第１の基地局２０５に対するダウンリンク容量のオフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。いくつかの例では、ダウンリンクチャネル２２０は、第１の基地局２０５からＵＥ２１５に緊急データを送信するために使用され得る。補足ダウンリンクシナリオは、認可無線周波数スペクトルを使用し、トラフィックおよび／またはシグナリング輻輳の一部を軽減する必要がある、任意のサービスプロバイダ（たとえば、モバイルネットワーク事業者（ＭＮＯ：mobile network operator））に対して生じ得る。
【００４９】
[0067]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、および／またはリソースブロックインターリーブＦＤＭＡ波形（resource block interleaved FDMA waveforms）を受信し得る。第２の双方向リンク２３０は、無認可無線周波数スペクトル帯域における周波数Ｆ１に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域における周波数Ｆ２に関連付けられ得る。第２の双方向リンク２３０は、第１の基地局２０５に対してダウンリンク容量およびアップリンク容量のオフロードを提供し得る。上記で説明した補足ダウンリンクのように、このシナリオは、認可無線周波数スペクトルを使用し、トラフィックおよび／またはシグナリング輻輳の一部を軽減する必要がある、任意のサービスプロバイダ（たとえば、ＭＮＯ）に対して生じ得る。
【００５０】
[0068]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、および／またはリソースブロックインターリーブ波形（resource block interleaved waveforms）を受信し得る。第４の双方向リンク２４０は、無認可無線周波数スペクトル帯域における周波数Ｆ３に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域における周波数Ｆ２に関連付けられ得る。第４の双方向リンク２４０は、第１の基地局２０５に対してダウンリンク容量およびアップリンク容量のオフロードを提供し得る。この例および上記で与えられた例は、説明の目的で提示され、容量オフロードのために認可無線周波数スペクトルにおけるＬＴＥ／ＬＴＥ−Ａと共有アクセス無線周波数スペクトルにおけるＬＴＥ／ＬＴＥ−Ａとを組み合わせる他の同様の動作モードまたは展開シナリオが存在し得る。
【００５１】
[0069]上記で説明したように、共有アクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ認可無線周波数スペクトル帯域へのアクセス権を有する従来のＭＮＯである。これらのサービスプロバイダについて、運用上の例としては、認可無線周波数スペクトル帯域上のＬＴＥ／ＬＴＥ−Ａ１次コンポーネントキャリア（ＰＣＣ）と、無認可無線周波数スペクトル帯域上の少なくとも１つの２次コンポーネントキャリア（ＳＣＣ）とを使用するブートストラップモード（たとえば、補足ダウンリンク、キャリアアグリゲーション）があり得る。
【００５２】
[0070]キャリアアグリゲーションモードでは、データおよび制御は、たとえば、（たとえば、第１の双方向リンク２２５と、第３の双方向リンク２３５と、第５の双方向リンク２４５とを介して）認可無線周波数スペクトルにおいて通信され得、データは、たとえば、（たとえば、第２の双方向リンク２３０と、第４の双方向リンク２４０とを介して）無認可無線周波数スペクトル帯域において通信され得る。第１の基地局２０５と第２のＵＥ２１５−ａまたは第３のＵＥ２１５−ｂとの間で緊急データを送信するために必要があるとき、緊急データは、認可無線周波数スペクトル帯域および／または無認可無線周波数スペクトル帯域を介して送信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００５３】
[0071]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、および／またはリソースブロックインターリーブＦＤＭＡ波形を受信し得る。双方向リンク２５０は、無認可無線周波数スペクトル帯域における周波数Ｆ３に関連付けられ得る。第２の基地局２０５−ａと第４のＵＥ２１５−ｃとの間で緊急データを送信する必要があるとき、認可無線周波数スペクトル帯域を介した緊急データの送信は選択肢でないことがあるので、緊急データは無認可無線周波数スペクトル帯域を介して送信される必要があり得る。スタンドアロンモードは、スタジアム内アクセス（たとえば、ユニキャスト、マルチキャスト）など、非従来型ワイヤレスアクセスシナリオにおいて使用され得る。この動作モードのためのサービスプロバイダのタイプの一例は、認可無線周波数スペクトル帯域へのアクセスを有しないスタジアムオーナー、ケーブル会社、イベントホスト、ホテル、企業、または大会社であり得る。
【００５４】
[0072]図３に、本開示の様々な態様による、事業者間の合意に従って動作する２つの異なる事業者（たとえば、第１の事業者および第２の事業者）によって無認可無線周波数スペクトル帯域を介してＬＴＥ／ＬＴＥ−Ａが展開されるワイヤレス通信システム３００を示す。より詳細には、図３に、第１の事業者に関連する第１のノードの一部または全体として機能する第１の基地局３０５と、第２の事業者に関連する第２のノードの一部または全体として機能する第２の基地局３０５−ａとを示す。いくつかの例では、第１の基地局３０５および第２の基地局３０５−ａの各々は、第１のノードまたは第２のノードとして働くそれぞれのｅＮＢの一部であり得る。いくつかの例では、第１の事業者と第２の事業者とは、異なるＰＬＭＮであるか、またはそれを含み得る。
【００５５】
[0073]いくつかの例では、第１の事業者と第２の事業者との間の合意は、あらかじめ定義された合意および／または機会主義的な合意を含み得る。あらかじめ定義された合意は、いくつかの例では、第１の事業者のノード（たとえば、第１の基地局３０５を含む第１のノード）が無認可無線周波数スペクトル帯域へのアクセスを獲得し、合意を条件とするデータを送信することが可能であるとき（たとえば、第１の基地局３０５が、ＭＢＳＦＮフレーム中に無認可無線周波数スペクトル帯域へのアクセスを獲得するとき）、第１の事業者（および／または第１のノードと第１の基地局３０５とを含む第１の事業者の１つまたは複数のノード）が合意を条件とするデータを送信しようと試みることになることを指定し得る。機会主義的な合意は、いくつかの例では、第１の事業者（および／あるいは第１のノードと第１の基地局３０５とを含む第１の事業者の１つまたは複数のノード）が、第２の事業者を支援するために合意を条件とするデータを機会主義的に（opportunistically）送信しようと試みることになることを指定し得る。機会主義的な合意は、場合によっては、第２の事業者の１つまたは複数のノード（たとえば、第２の基地局３０５−ａを含む第２のノード）の（１つまたは複数の）送信ステータスに基づき得る。たとえば、機会主義的な合意は、１）第１の事業者のノードが、無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、および、２）第２の事業者のノード（たとえば、第２の基地局３０５−ａを含む第２のノード）が、合意を条件とするデータを送信したか、送信しているか、または送信することになることを第１の事業者のノードが検出したフレーム中に、第１の事業者のノード（たとえば、第１の基地局３０５を含む第１のノード）が合意を条件とするデータを送信しようと試みることになることを指定し得る。別の例として、機会主義的な合意は、１）第１の事業者のノードが、無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、および、２）第２の事業者のノード（たとえば、第２の基地局３０５−ａを含む第２のノード）が、合意を条件とするデータを送信しなかった、送信していない、および送信しないことになることを第１の事業者のノードが検出したフレーム中に、第１の事業者のノード（たとえば、第１の基地局３０５を含む第１のノード）が合意を条件とするデータを送信しようと試みることになることを指定し得る。
【００５６】
[0074]いくつかの例では、第１の事業者と第２の事業者との間の合意を条件とするデータの送信は、ＭＢＭＳ送信および／または第１のノードと第２のノードとによるＣｏＭＰ送信のうちの少なくとも１つの一部であり得る。
【００５７】
[0075]いくつかの例では、（第１の基地局３０５を含む）第１のノードは、無認可無線周波数帯域を介したデータの送信に関する情報を受信し得、そのデータは、第１の事業者と第２の事業者との間に合意に従って送信されるべきである。いくつかの例では、データの送信に関する情報は、運用、管理、および保守（ＯＡＭ）サーバ、第２の事業者に通信可能に結合された第１の事業者のマルチキャスト協調エンティティ、第２の事業者に関連する第２のノード、第１の事業者に関連する第３のノード、第２のノードによって送信されたサービス情報公報、または第２のノードによって送信されたマルチキャストチャネルのうちの少なくとも１つから受信され得る。いくつかの例では、データの送信に関する情報は、合意を条件として送信されるべきであるデータ、またはデータの送信についての構成データのうちの少なくとも１つを含み得る。
【００５８】
[0076]いくつかの例では、（第１の基地局３０５を含む）第１のノードは、ＯＡＭサーバを介して、事業者間の合意に従って無認可無線周波数スペクトル帯域を介してデータを送信するための静的構成を受信し得る。いくつかの例では、静的構成は、地理的エリア中の事業者（たとえば、ＰＬＭＮ）のために事前構成された静的ＭＢＳＦＮ構成を含み得る。静的ＭＢＳＦＮ構成は、たとえば、周波数帯域幅の３０％が、事前構成されたＭＢＳＦＮ構成（たとえば、事前構成された変調およびコーディング方式（ＭＣＳ）など）を用いてサブフレーム１、２、および３上で合意を条件とするデータに割り当てられることを指定し得る。静的ＭＢＳＦＮ構成はまた、たとえば、ブロードキャスト・マルチキャスト・サービスセンター（ＢＭ−ＳＣ：broadcast-multicast service center）および／またはＭＢＭＳゲートウェイ（ＭＢＭＳ−ＧＷ）が合意を条件とする事業者間で共有され得ることを指定し得る。静的ＭＢＳＦＮ構成はまた、たとえば、事前構成された共通のＭＣＣＨの使用を、および／または合意を条件とする事業者を介するすべてのノードが特定のＭＢＭＳ−ＧＷからマルチキャストツリーに加わることになることを、指定し得る。静的ＭＢＳＦＮ構成はまた、事業者間の合意を条件とするデータの送信のために予約されたリソースが、ＭＢＭＳサービスのために使用されないときに、ユニキャストサービスのために使用され得ることを指定し得る。上記の例で説明した静的ＭＢＳＦＮ構成は、たとえば、スタジアムでのスポーツイベントのブロードキャストに好適であり得る。
【００５９】
[0077]いくつかの例では、（第１の基地局３０５を含む）第１のノードは、事業者間の合意に従って無認可無線周波数スペクトル帯域を介してデータを送信するための動的構成を受信し得る。いくつかの例では、動的構成は、事業者間（inter-operator）（たとえば、ＰＬＭＮ間（inter-PLMN））インターフェース（たとえば、マルチセル／マルチキャスト協調エンティティ間（inter-multi-cell/multicast coordination entity）（たとえば、ＭＣＥ間）インターフェース、管理エンティティ間（たとえば、ＭＭＥ（モビリティ管理エンティティ）間）インターフェース、および／またはＭＣＥ−ｅＮＢ間インターフェース）を介して送られる動的ＭＢＳＦＮ構成を含み得る。１次ＭＣＥは、事業者間の合意を条件とするすべてのノードに動的ＭＢＳＦＮ構成を送り得る。他のノードは、動的ＭＢＳＦＮ構成を受信すると、特定のＭＢＭＳ−ＧＷからマルチキャストツリーに加わり得る。上記の例で説明した動的ＭＢＳＦＮ構成は、たとえば、緊急データ（たとえば、ニュース速報（breaking news）、緊急警報など）のブロードキャストに好適であり得る。
【００６０】
[0078]いくつかの例では、（第１の基地局３０５を含む）第１のノードは、ＵＥと同様に動作し、事業者間の合意に従って無認可無線周波数スペクトル帯域を介してデータを送信するための構成を取得するために、システム情報ブロック（ＳＩＢ）および／またはマルチキャスト制御チャネル（ＭＣＣＨ）をリッスンし得る。これらの例では、２次ノード（たとえば、第１の基地局３０５を含むノード）は、１次ノード（たとえば、第２の基地局３０５−ａを含むノード）によって送信されたＭＢＳＦＮ構成をリッスンし得、２次ノードは、ＭＢＳＦＮ構成を受信すると、特定のＭＢＭＳ−ＧＷからマルチキャストツリーに加わり得る。
【００６１】
[0079]いくつかの例では、事業者間の合意に従って無認可無線周波数スペクトル帯域を介してデータを送信するための構成を受信するための前述の技法の組合せが実装され得る。
【００６２】
[0080]いくつかの例では、（第１の基地局３０５を含む）第１のノードは、事業者間の合意に従って無認可無線周波数スペクトル帯域を介してＣｏＭＰデータを送信するための動的構成を受信し得る。いくつかの例では、動的構成は、Ｘ２インターフェースを介して異なる事業者のノード（たとえば、ｅＮＢ）間で送られる動的ＣｏＭＰ構成を含み得る。動的ＣｏＭＰ構成を獲得する時間を可能にするために、動的ＣｏＭＰ構成は、ＬＢＴフレーム中の後のサブフレームをいっそう対象としていることがある。事業者は、動的ＣｏＭＰ構成が送信されるチャネルを獲得すると、合意を条件とする他の事業者の隣接するノード（adjacent nodes）に動的ＣｏＭＰ構成を送り得る。
【００６３】
[0081]いくつかの例では、図１、図２、および／または図３を参照しながら説明した基地局１０５、２０５、２０５−ａ、３０５、および／または３０５−ａのうちの１つ、ならびに／あるいは図１、図２、および／または図３を参照しながら説明したＵＥ１１５、２１５、２１５−ａ、２１５−ｂ、２１５−ｃ、および／または３１５のうちの１つなど、送信装置は、無認可無線周波数スペクトル帯域のチャネルへの（たとえば、無認可無線周波数スペクトル帯域の物理チャネルへの）アクセスを獲得するために、ゲーティング間隔を使用し得る。ゲーティング間隔は、ＥＴＳＩ（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）などの競合手順をいつ実施する必要があるかを示し得る。ＣＣＡの結果は、無認可無線周波数スペクトル帯域のチャネルが（ＬＢＴフレームまたはＣＣＡフレームとも呼ばれる）ゲーティング間隔中に利用可能であるのか使用中であるのかを送信装置に示し得る。チャネルが、対応するＬＢＴフレーム中に利用可能（たとえば、使用のために「クリア」）であることをＣＣＡが示すとき、送信装置は、ＬＢＴフレームの一部または全部の間に無認可無線周波数スペクトル帯域のチャネルを予約および／または使用し得る。チャネルが利用可能でないこと（たとえば、チャネルが別の装置によって使用中または予約済みであること）をＣＣＡが示すとき、送信装置は、ＬＢＴフレーム中にチャネルを使用するのを妨げられ得る。
【００６４】
[0082]いくつかの場合、送信装置が、周期的にゲーティング間隔を生成し、ゲーティング間隔の少なくとも１つの境界を周期的フレーム構造（たとえば、周期的ＬＴＥ／ＬＴＥ−Ａ無線フレーム構造）の少なくとも１つの境界と同期させることが有用であり得る。そのような同期の例が図４に示されている。
【００６５】
[0083]図４は、本開示の様々な態様による、無認可無線周波数スペクトル帯域におけるゲーティング間隔（またはＬＢＴフレーム）の例４００を示す。第１のゲーティング間隔４０５、第２のゲーティング間隔４１５、および／または第３のゲーティング間隔４２５は、無認可無線周波数スペクトル帯域を介した送信をサポートするｅＮＢまたはＵＥによって周期的ゲーティング間隔として使用され得る。そのようなｅＮＢの例としては、図１、図２、および／または図３を参照しながら説明した基地局１０５、２０５、２０５−ａ、３０５、および／または３０５−ａがあり得、そのようなＵＥの例は、図１、図２、および／または図３を参照しながら説明したＵＥ１１５、２１５、２１５−ａ、２１５−ｂ、２１５−ｃ、および／または３１５があり得る。第１のゲーティング間隔４０５、第２のゲーティング間隔４１５、および／または第３のゲーティング間隔４２５は、いくつかの例では、図１、図２、および／または図３を参照しながら説明したワイヤレス通信システム１００、２００、および／または３００とともに使用され得る。
【００６６】
[0084]例として、第１のゲーティング間隔４０５の持続時間が、セルラーダウンリンクに関連付けられた周期的フレーム構造のＬＴＥ／ＬＴＥ−Ａ無線フレーム４１０の持続時間に等しい（またはほぼ等しい）ものとして示されている。いくつかの例では、「ほぼ等しい」は、第１のゲーティング間隔４０５の持続時間が周期的フレーム構造の持続時間のサイクリックプレフィックス（ＣＰ）持続時間内にあることを意味する。
【００６７】
[0085]第１のゲーティング間隔４０５の少なくとも１つの境界は、ＬＴＥ／ＬＴＥ−Ａ無線フレームＮ−１〜Ｎ＋１を含む周期的フレーム構造の少なくとも１つの境界と同期され得る。いくつかの場合には、第１のゲーティング間隔４０５は、周期的フレーム構造のフレーム境界と整合された境界を有し得る。他の場合には、第１のゲーティング間隔４０５は、周期的フレーム構造のフレーム境界と同期されているが、それからオフセットされている境界を有し得る。たとえば、第１のゲーティング間隔４０５の境界は、周期的フレーム構造のサブフレーム境界と整合されるか、または周期的フレーム構造のサブフレーム中間点境界（subframe midpoint boundaries）（たとえば、特定のサブフレームの中間点（midpoints））と整合され得る。
【００６８】
[0086]場合によっては、周期的なフレーム構造は、ＬＴＥ／ＬＴＥ−Ａ無線フレームＮ−１〜Ｎ＋１を含み得る。各ＬＴＥ／ＬＴＥ−Ａ無線フレーム４１０は、たとえば、１０ミリ秒の持続時間を有し得、第１のゲーティング間隔４０５も１０ミリ秒の持続時間を有し得る。これらの場合、第１のゲーティング間隔４０５の境界は、ＬＴＥ／ＬＴＥ−Ａ無線フレームのうちの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００６９】
[0087]例として、第２のゲーティング間隔４１５および第３のゲーティング間隔４２５の持続時間は、セルラーダウンリンクに関連付けられた周期的フレーム構造の持続時間の約数（sub-multiples）（またはそれのほぼ約数）であることが示されている。いくつかの例では、「のほぼ約数」は、第２のゲーティング間隔４１５および／または第３のゲーティング間隔４２５の持続時間が、周期的フレーム構造の約数（たとえば、１／２または１／５）の持続時間のサイクリックプレフィックス（ＣＰ）持続時間内にあることを意味する。たとえば、第２のゲーティング間隔４１５は５ミリ秒の持続時間を有し得、第３のゲーティング間隔４２５は２ミリ秒の持続時間を有し得る。第２のゲーティング間隔４１５または第３のゲーティング間隔４２５は、それのより短い持続時間が無認可無線周波数スペクトル帯域のより頻繁な共有を容易にし得るので、第１のゲーティング間隔４０５よりも有利であり得る。
【００７０】
[0088]図５は、本開示の様々な態様による、無認可無線周波数スペクトル帯域にわたるワイヤレス通信５１０の一例５００を示す。図４を参照しながら説明した第１のゲーティング間隔４０５などのゲーティング間隔に対応し得るＬＢＴフレーム５１５は、１０ミリ秒の持続時間を有し、いくつかのダウンリンクサブフレーム５２０と、特殊Ｓ’サブフレーム５３５とを含み得る。Ｓ’サブフレーム５３５は、後続のＬＢＴフレーム５１５に対してＣＣＡ機会を与え得る。
【００７１】
[0089]Ｓ’サブフレーム５３５中に、図１、図２、および／または図３を参照しながら説明した基地局１０５、２０５、２０５−ａ、３０５、および／または３０５−ａのうちの１つまたは複数など、１つまたは複数の基地局によって、ワイヤレス通信５１０がその上で行われるチャネルをある時間期間の間予約するために、ダウンリンククリアチャネルアセスメント（ＤＣＣＡ：downlink clear channel assessment）５４０が実施され得る。基地局による成功したＤＣＣＡ５４０に続いて、基地局は、基地局がチャネルを予約したという指示を他の基地局および／または装置（たとえば、ＵＥ、Ｗｉ−Ｆｉアクセスポイントなど）に提供するためにチャネル使用ビーコン信号（ＣＵＢＳ：channel usage beacon signal）５４５を送信し得る。いくつかの例では、ＣＵＢＳ５４５は、複数のインターリーブされたリソースブロックを使用して送信され得る。このようにＣＵＢＳ５４５を送信することにより、ＣＵＢＳ５４５は、無認可無線周波数スペクトル帯域において利用可能な周波数帯域幅の少なくともある割合を占有し、１つまたは複数の規制要件（regulatory requirements）（たとえば、ＣＵＢＳ５４５が、利用可能な周波数帯域幅の少なくとも８０％を占有するという要件）を満たすことが可能になり得る。ＣＵＢＳ５４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。ＣＵＢＳ５４５の送信に続いて、ＬＴＥ／ＬＴＥ−Ａベースの波形５４７が、無認可無線周波数スペクトル帯域を介して基地局からＵＥに送信され得る。
【００７２】
[0090]Ｓ’サブフレーム５３５は、図５において０〜１３の番号を付された、１４個のＯＦＤＭシンボルを含み得る。Ｓ’サブフレーム５３５の第１の部分、この例ではシンボル０〜５は、ＬＴＥ／ＬＴＥ−Ａ通信規格との互換性のために必要とされ得る、サイレントＤＬ期間（silent DL period）（またはガード期間）として基地局によって使用され得る。したがって、基地局は、サイレントＤＬ期間中にデータを送信しないことがある。Ｓ’サブフレーム５３５の第２の部分はＤＣＣＡ５４０のために使用され得る。例５００では、Ｓ’サブフレーム５３５は、シンボル６〜１２中に含まれる７つのＤＣＣＡ機会を含む。異なるネットワーク事業者によるＤＣＣＡ機会の使用は、より効率的なシステム動作（たとえば、同期システム動作）を提供するために協調され得る。いくつかの例では、ＤＣＣＡ５４０を実施するために７つの可能なＤＣＣＡ機会のうちのどれを使用すべきかを決定するために、基地局１０５は、以下の形式のマッピング関数を評価し得る。  
ＦD（ＧｒｏｕｐＩＤ，ｔ）∈｛１，２，３，４，５，６，７｝
ここで、ＧｒｏｕｐＩＤは、基地局１０５に割り当てられた「展開グループｉｄ（deployment group-id）」であり、ｔは、ＤＣＣＡ５４０が実施されるゲーティング間隔またはフレームに対応するＬＢＴフレーム番号である。
【００７３】
[0091]同じネットワーク事業者／サービスプロバイダによって展開されるすべての基地局は、それらが競合プロセスにおいて互いに先手を打つ（preempt）ことのないように、同じグループｉｄを割り当てられ得る。これにより、同じ事業者に関連する基地局の間で完全な周波数再利用が可能になり、システムスループットが向上する。異なる事業者に関連する基地局は、直交ＤＣＣＡ機会マッピングの場合、チャネルへのアクセスが相互排他的になるように、異なるグループｉｄを割り当てられ得る。
【００７４】
[0092]非直交（non-orthogonal）または重複するＣＣＡ機会アクセスを用いる例では、マッピング関数は、８つ以上のグループｉｄを可能にし得る。いくつかの状況では、たとえば、８つ以上の展開グループｉｄをサポートすることは有用であり得、その場合、ＤＣＣＡ機会マッピング関数の直交性性質を維持することが可能でない。そのような場合、任意の２つのグループＩＤ間の衝突の頻度を減らすことが望ましいことがある。いくつかの例では、非直交ＤＣＣＡ機会マッピングシーケンスはまた、ＬＢＴ機会に関する緊密な協調なしに展開間の公平なチャネルアクセスを与えるために使用され得る。非直交ＤＣＣＡ機会マッピングシーケンスの一例は次式によって与えられる。  
ＦD/U（ｘ，ｔ）＝Ｒ1,7（ｘ，ｔ）
ＧｒｏｕｐＩＤ  ｘ＝∈｛１，２．．．２16｝
ここで、Ｒ1,7（ｘ，ｔ）は、ＧｒｏｕｐＩＤ  ｘについて独立して選ばれる１と７の間の擬似乱数ジェネレータ（pseudo-random number generator）である。この場合、同じＬＢＴフレームｔ中で異なるＧｒｏｕｐＩＤの基地局および／またはＵＥ間に潜在的な衝突があり得る。
【００７５】
[0093]事業者（たとえば、第１の事業者および第２の事業者）間の合意に従って無認可無線周波数スペクトル帯域を介してデータを送信するとき、事業者は、合意を条件とするデータが送信されることになる無認可無線周波数スペクトル帯域のフレームのためのＤＣＣＡ機会を選択し得る。いくつかの例では、ＤＣＣＡ機会は、他の事業者によって選択されるＤＣＣＡ機会とは無関係にまたは半ば無関係に選択され得、場合によっては、前述のマッピング関数を使用して選択され得る。たとえば、第１のフレームについて、事業者１のノード（たとえば、ｅＮＢ）は、図５のＯＦＤＭシンボル６に対応するＤＣＣＡ機会を選択し得、事業者２のノードは、ＯＦＤＭシンボル７に対応するＤＣＣＡ機会を選択し得、事業者３のノードは、ＯＦＤＭシンボル８に対応するＤＣＣＡ機会を選択し得る。第２のフレームでは、事業者１のノードは、ＯＦＤＭシンボル１２に対応するＤＣＣＡ機会を選択し得、事業者２のノードは、ＯＦＤＭシンボル６に対応するＤＣＣＡ機会を選択し得、事業者３のノードは、ＯＦＤＭシンボル７に対応するＤＣＣＡ機会を選択し得る。
【００７６】
[0094]他の例では、事業者は、事業者間の合意を条件とする別の事業者によるＤＣＣＡ機会の選択とＤＣＣＡ機会の選択を協調させ得る。たとえば、事業者は、事業者間の合意を条件とする別の事業者によって使用されるＤＣＣＡのロケーションと整合されたＤＣＣＡ機会を選択し得る。たとえば、事業者１と事業者３とが、無認可無線周波数スペクトル帯域を介してデータを送信するために合意を条件とすると仮定すると、第１のフレームについて、事業者１および事業者３のノードは、図５のＯＦＤＭシンボル６に対応するＤＣＣＡ機会を選択し得、事業者２のノードは、ＯＦＤＭシンボル７に対応するＤＣＣＡ機会を選択し得る。第２のフレームでは、事業者１および事業者３のノードは、ＯＦＤＭシンボル１２に対応するＤＣＣＡ機会を選択し得、事業者２のノードは、ＯＦＤＭシンボル６に対応するＤＣＣＡ機会を選択し得る。
【００７７】
[0095]いくつかの例では、事業者は、他のデータが送信されるべき無認可無線周波数スペクトル帯域のフレームと対比して、合意を条件とするデータが送信されるべき無認可無線周波数スペクトル帯域のフレーム（たとえば、ＭＢＳＦＮフレーム）に対してＤＣＣＡを実行するためのロケーションを決定するために異なる方法および／または機能を使用し得る。
【００７８】
[0096]事業者間のＤＣＣＡ協調に加えて、他の情報が、データを送信するために合意を条件とする事業者間で協調され得る。たとえば、事業者は、合意を条件とするデータを送信するために使用すべき共通のマルチキャスト制御チャネル（ＭＣＣＨ）構成および／または共通の同期プロトコルデータユニット（ＳＹＮＣ  ＰＤＵ）を決定し得る。いくつかの例では、ＭＣＣＨ構成および／またはＳＹＮＣ  ＰＤＵは、コアネットワークを介して（たとえば、図１を参照しながら説明したコアネットワーク１３０などのコアネットワークを介して）および／または第２のノードを介して受信されるシグナリングに基づいて決定され得る。
【００７９】
[0097]図６に、本開示の様々な態様による、事業者間のあらかじめ定義された合意に従ってデータがどのように送信され得るかの一例６００を示す。より詳細には、図６に、第１の事業者のためのＬＢＴフレーム（たとえば、事業者１のためのＬＢＴフレーム６０５−ａ、６０５−ｂ、および６０５−ｃ）と第２の事業者のためのＬＢＴフレーム（たとえば、事業者２のためのＬＢＴフレーム６２５−ａ、６２５−ｂ、および６２５−ｃ）との例示的なシーケンスを示す。さらなる例として、事業者間の合意を条件とするデータは、各ＬＢＴフレーム６０５−ａ、６０５−ｂ、６０５−ｃ、６２５−ａ、６２５−ｂ、および／または６２５−ｃのサブフレーム１、２、３、および／または６中で送信され得、そのサブフレームは、ＭＢＳＦＮサブフレームであり得る。
【００８０】
[0098]整合されたＬＢＴフレーム６０５−ａおよび６２５−ａのための整合されたＤＣＣＡ機会６１０−ａおよび６３０−ａの第１のセット中に、事業者１および事業者２の各々は、第１のＤＣＣＡを実行し得る。例として、事業者１によって実行される第１のＤＣＣＡが成功し得、事業者２によって実行される第１のＤＣＣＡが失敗し得る。したがって、事業者１は、ＬＢＴフレーム６０５−ａのサブフレーム１、２、３、および６中で事業者間の合意を条件とするデータを送信し得、一方、事業者２は、ＬＢＴフレーム６２５−ａのいかなるサブフレーム中でもいかなるデータも送信し得ない。整合されたＬＢＴフレーム６０５−ｂおよび６２５−ｂのための整合されたＤＣＣＡ機会６１０−ｂおよび６３０−ｂの第２のセット中で、事業者１および事業者２の各々は、第２のＤＣＣＡを実行し得る。例として、事業者１によって実行される第２のＤＣＣＡが失敗し得、事業者２によって実行される第２のＤＣＣＡが成功し得る。したがって、事業者２は、ＬＢＴフレーム６２５−ｂのサブフレーム１、２、３、および６中で合意を条件とするデータを送信し得、一方、事業者１は、ＬＢＴフレーム６０５−ｂのいかなるサブフレーム中でもいかなるデータも送信し得ない。整合されたＬＢＴフレーム６０５−ｃおよび６２５−ｃのための整合されたＤＣＣＡ機会６１０−ｃおよび６３０−ｃの第３のセット中に、事業者１および事業者２の各々は、第３のＤＣＣＡを実行し得る。例として、事業者１および事業者２の各々によって実行される第３のＤＣＣＡが成功し得、したがって、事業者１および事業者２の各々は、ＬＢＴフレーム６０５−ｃおよび６２５−ｃのサブフレーム１、２、３、および６中で事業者間の合意を条件とするデータを送信し得る。事業者１と事業者２との間の合意のために、合意を条件とするデータは、事業者１と事業者２とのうちの１つだけによってデータが送信されるときより多くのＬＢＴフレーム中で送信され得る。
【００８１】
[0099]図７は、本開示の様々な態様による、ワイヤレス通信において使用するための装置７０５のブロック図７００を示す。いくつかの例では、装置７０５は、図１、図２、および／または図３を参照しながら説明した基地局１０５、２０５、２０５−ａ、３０５、および／または３０５−ａのうちの１つまたは複数の態様の一例であり得る。いくつかの例では、装置７０５は、無認可無線周波数スペクトル帯域を介する事業者の展開中の第１の事業者に関連する第１のノードの一部であり得る。装置７０５および／または第１のノードは、いくつかの例では、ＬＴＥ／ＬＴＥ−Ａ  ｅＮＢおよび／またはＬＴＥ／ＬＴＥ−Ａ基地局であるか、またはその一部であり得る。装置７０５はまた、プロセッサであり得る。装置７０５は、受信機モジュール７１０、ワイヤレス通信管理モジュール７２０、および／または送信機モジュール７３０を含み得る。これらの構成要素の各々は互いに通信していることがある。
【００８２】
[0100]装置７０５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【００８３】
[0101]いくつかの例では、受信機モジュール７１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つの無線周波数（ＲＦ）受信機を含み得る。いくつかの例では、認可無線周波数スペクトル帯域および／または無認可無線周波数スペクトル帯域は、たとえば、図１、図２、図３、図４、図５、および／または図６を参照しながら説明したように、ＬＴＥ／ＬＴＥ−Ａ通信のために使用され得る。受信機モジュール７１０は、図１、図２、および／または図３を参照しながら説明したワイヤレス通信システム１００、２００、および／または３００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【００８４】
[0102]いくつかの例では、送信機モジュール７３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール７３０は、図１、図２、および／または図３を参照しながら説明したワイヤレス通信システム１００、２００、および／または３００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【００８５】
[0103]いくつかの例では、ワイヤレス通信管理モジュール７２０は、装置７０５のためのワイヤレス通信の１つまたは複数の態様を管理するために使用され得る。いくつかの例では、ワイヤレス通信管理モジュール７２０は、ＣＣＡモジュール７３５および／またはデータ送信管理モジュール７４０を含み得る。これらの構成要素の各々は互いに通信していることがある。
【００８６】
[0104]いくつかの例では、ＣＣＡモジュール７３５は、装置７０５に対するＣＣＡを実行するために使用され得る。各ＣＣＡは、無認可無線周波数スペクトル帯域のフレームへのアクセスを求めて競合するために、無認可無線周波数スペクトル帯域の対応するフレームに対して実行され得る。
【００８７】
[0105]いくつかの例では、データ送信管理モジュール７４０は、ＣＣＡモジュール７３５によって実行されるＣＣＡが成功したとき、無認可無線周波数スペクトル帯域を介してデータを送信するために、使用され得る。データは、場合によっては、第１の事業者と事業者の展開中の第２の事業者との間の合意に従って送信され得る。いくつかの例では、第１の事業者と第２の事業者とは、異なるＰＬＭＮであるか、またはそれを含み得る。いくつかの例では、合意を条件とするデータの送信は、ＭＢＭＳ送信および／または第１のノードと第２のノードとによるＣｏＭＰ送信のうちの少なくとも１つの一部であり得る。
【００８８】
[0106]いくつかの例では、第１の事業者と第２の事業者との間の合意は、あらかじめ定義された合意および／または機会主義的合意を含み得る。あらかじめ定義された合意は、いくつかの例では、第１の事業者のノード（たとえば、第１のノード）が無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、第１の事業者（および／または第１のノードを含む第１の事業者の１つまたは複数のノード）が合意を条件とするデータを送信しようと試みることになることを指定し得る。機会主義的な合意は、いくつかの例では、第１の事業者（および／あるいは第１のノードを含む第１の事業者の１つまたは複数のノード）が、第２の事業者を支援するためにデータを機会主義的に送信しようと試みることになることを示し得る。機会主義的な合意は、場合によっては、第２の事業者の１つまたは複数のノード（たとえば、第２のノード）の（１つまたは複数の）送信ステータスに基づき得る。たとえば、機会主義的な合意は、１）第１の事業者のノードが、無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、および、２）第２の事業者のノード（たとえば、第２のノード）が、合意を条件とするデータを送信したか、送信しているか、または送信することになることを第１の事業者のノードが検出したフレーム中に、第１の事業者のノード（たとえば、第１のノード）が合意を条件とするデータを送信しようと試みることになることを指定し得る。別の例として、機会主義的な合意は、１）第１の事業者のノードが、無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、および、２）第２の事業者のノード（たとえば、第２のノード）がデータを送信しなかった、送信していない、および送信しないことになることを、第１の事業者のノードが検出したフレーム中に、第１の事業者のノード（たとえば、第１のノード）が合意を条件とするデータを送信しようと試みることになることを指定し得る。
【００８９】
[0107]図８は、本開示の様々な態様による、ワイヤレス通信において使用するための装置８０５のブロック図８００を示す。いくつかの例では、装置８０５は、図１、図２、および／または図３を参照しながら説明した基地局１０５、２０５、２０５−ａ、３０５、および／または３０５−ａのうちの１つまたは複数の態様の一例、ならびに／あるいは図７を参照しながら説明した装置７０５の態様の一例である。いくつかの例では、装置８０５は、無認可無線周波数スペクトル帯域を介する事業者の展開中の第１の事業者に関連する第１のノードの一部であり得る。装置８０５および／または第１のノードは、いくつかの例では、ＬＴＥ／ＬＴＥ−Ａ  ｅＮＢおよび／またはＬＴＥ／ＬＴＥ−Ａ基地局であるか、またはその一部であり得る。装置８０５もまたプロセッサであり得る。装置８０５は、受信機モジュール８１０、ワイヤレス通信管理モジュール８２０、および／または送信機モジュール８３０を含み得る。これらの構成要素の各々は互いに通信していることがある。
【００９０】
[0108]装置８０５の構成要素は、ハードウェアにおいて適用可能な機能の一部または全部を実施するように適応された１つまたは複数のＡＳＩＣを使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【００９１】
[0109]いくつかの例では、受信機モジュール８１０は、図７を参照しながら説明した受信機モジュール７１０の１つまたは複数の態様の一例であり得る。いくつかの例では、受信機モジュール８１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１、図２、図３、図４、図５、図６、および／または図７を参照しながら説明したように、ＬＴＥ／ＬＴＥ−Ａ通信のために使用され得る。受信機モジュール８１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するための認可ＬＴＥ／ＬＴＥ−Ａ  ＲＦスペクトル帯域受信機モジュール８１２、および無認可無線周波数スペクトル帯域を介して通信するための無認可ＬＴＥ／ＬＴＥ−Ａ  ＲＦスペクトル帯域受信機モジュール８１４の形態をとり得る。いくつかの例では、受信機モジュール８１０はまた、バックホール受信機モジュール８１６を含み得る。認可ＬＴＥ／ＬＴＥ−Ａ  ＲＦスペクトル帯域受信機モジュール８１２、無認可ＬＴＥ／ＬＴＥ−Ａ  ＲＦスペクトル帯域受信機モジュール８１４、および／またはバックホール受信機モジュール８１６を含む、受信機モジュール８１０は、図１、図２、および／または図３を参照しながら説明したワイヤレス通信システム１００、２００、および／または３００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を受信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【００９２】
[0110]いくつかの例では、送信機モジュール８３０は、図７を参照しながら説明した送信機モジュール７３０の１つまたは複数の態様の一例であり得る。いくつかの例では、送信機モジュール８３０は、認可無線周波数スペクトル帯域および／または無認可無線周波数スペクトル帯域を介して送信するように動作可能な少なくとも１つのＲＦ送信機などの少なくとも１つのＲＦ送信機を含み得る。送信機モジュール８３０は、場合によっては、認可無線周波数スペクトル帯域および無認可無線周波数スペクトル帯域のための別個の送信機を含み得る。別個の送信機は、いくつかの例では、認可無線周波数スペクトル帯域上で通信するための認可ＬＴＥ／ＬＴＥ−Ａ  ＲＦスペクトル帯域送信機モジュール８３２、および無認可無線周波数スペクトル帯域上で通信するための無認可ＬＴＥ／ＬＴＥ−Ａ  ＲＦスペクトル帯域送信機モジュール８３４の形態をとり得る。いくつかの例では、送信機モジュール８３０はまた、バックホール送信機モジュール８３６を含み得る。認可ＬＴＥ／ＬＴＥ−Ａ  ＲＦスペクトル帯域送信機モジュール８３２、無認可ＬＴＥ／ＬＴＥ−Ａ  ＲＦスペクトル帯域送信機モジュール８３４、および／またはバックホール送信機モジュール８３６を含む送信機モジュール８３０は、図１、図２、および／または図３を参照しながら説明したワイヤレス通信システム１００、２００、および／または３００の１つまたは複数の通信リンクおよび／またはバックホールリンクなど、ワイヤレス通信システムの１つまたは複数の通信リンクおよび／またはバックホールリンクを介して、様々なタイプのデータおよび／または制御信号（すなわち、送信）を送信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【００９３】
[0111]いくつかの例では、ワイヤレス通信管理モジュール８２０は、図７を参照しながら説明したワイヤレス通信管理モジュール７２０の１つまたは複数の態様の一例であり得る。ワイヤレス通信管理モジュール８２０は、情報受信モジュール８３５、送信協調モジュール８４０、ＣＣＡモジュール８４５、および／またはデータ送信管理モジュール８５０を含み得る。これらの構成要素の各々は互いに通信していることがある。
【００９４】
[0112]いくつかの例では、情報受信モジュール８３５は、無認可無線周波数帯域を介したデータの送信に関する情報を受信するために使用され得、そのデータは、無認可無線周波数スペクトル帯域を介して第１の事業者と事業者の展開中の第２の事業者との間の合意に従って送信されるべきである。いくつかの例では、第１の事業者と第２の事業者とは、異なるＰＬＭＮであるか、またはそれを含み得る。
【００９５】
[0113]いくつかの例では、第１の事業者と第２の事業者との間の合意は、あらかじめ定義された合意を含み得る。あらかじめ定義された合意は、たとえば、第１の事業者のノード（たとえば、第１のノード）が無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、第１の事業者（および／または第１のノードを含む第１の事業者の１つまたは複数のノード）が合意を条件とするデータを送信しようと試みることになることを指定し得る。上記の説明および図８の説明の他の場所では、第２のノードは、装置８０５を含むノードのネイバーノード（a neighbor node）であり得る。いくつかの例では、装置８０５を含むノードまたは第２のノードのうちの少なくとも１つは、ＬＴＥ／ＬＴＥ−Ａ  ｅＮＢおよび／またはＬＴＥ／ＬＴＥ−Ａ基地局であるか、またはそれを含み得る。
【００９６】
[0114]いくつかの例では、データの送信に関する情報は、（たとえば、情報受信モジュール８３５によって）ＯＡＭサーバ、第２の事業者に通信可能に結合された第１の事業者のマルチキャスト協調エンティティ、第２の事業者に関連する第２のノード、第１の事業者に関連する第３のノード、第２のノードによって送信されたサービス情報公報、または第２のノードによって送信されたマルチキャストチャネルのうちの少なくとも１つから受信され得る。いくつかの例では、データの送信に関する情報は、合意を条件として送信されるべきであるデータ、またはデータの送信についての構成データのうちの少なくとも１つを含み得る。
【００９７】
[0115]いくつかの例では、送信協調モジュール８４０は、装置８０５を含むノードと第２のノードとの間のデータの送信を協調させるために使用され得る。いくつかの例では、協調は、データを送信するために使用すべきＭＣＣＨ構成を決定すること、そのＭＣＣＨ構成は、装置８０５を含むノードと第２のノードとに共通である、を含み得る。いくつかの例では、協調は、同じくまたは代替的に、データを送信するために使用すべきＳＹＮＣ  ＰＤＵを決定すること、そのＳＹＮＣ  ＰＤＵは、装置８０５を含むノードと第２のノードとに共通である、を含み得る。いくつかの例では、ＭＣＣＨ構成および／またはＳＹＮＣ  ＰＤＵは、コアネットワークを介して（たとえば、図１を参照しながら説明したコアネットワーク１３０などのコアネットワークを介して）および／または第２のノードを介して受信されるシグナリングに基づいて決定され得る。
【００９８】
[0116]送信協調モジュール８４０による協調は、同じくまたは代替的に、第１のノードによって、無認可無線周波数スペクトル帯域のフレームに対してＣＣＡを実行するためのロケーション（たとえば、図５を参照しながら説明したＤＣＣＡ５４０を実行するためのＤＣＣＡ機会のうちの１つ）を決定することを含み得る。いくつかの例では、ＣＣＡを実行するためのロケーションは、第２のノードによって決定されるＣＣＡのロケーション（たとえば、ＣＣＡを実行するためのロケーションは、第１のノードと第２のノードとに対して同じであり得る）および／またはコアネットワーク（たとえば、コアネットワーク１３０および／または１２４５などのコアネットワーク）によって決定されるＣＣＡのロケーションと整合され得る。他の例では、送信協調モジュール８４０は、図４を参照しながら説明したマッピング関数などのマッピング関数に基づいて、独立してまたは半ば独立してＣＣＡを実行するためのロケーションを決定し得る。いくつかの例では、送信協調モジュール８４０は、他のデータが送信されるべき無認可無線周波数スペクトル帯域のフレームと対比して、合意を条件とするデータが送信されるべき無認可無線周波数スペクトル帯域のフレーム（たとえば、ＭＢＳＦＮフレーム）に対してＣＣＡを実行するためのロケーションを決定するために異なる方法および／または機能を使用し得る。
【００９９】
[0117]いくつかの例では、ＣＣＡモジュール８４５は、図７を参照しながら説明したＣＣＡモジュール７３５の１つまたは複数の態様の一例であり得る。いくつかの例では、ＣＣＡモジュール８４５は、装置８０５に対するＣＣＡを実行するために使用され得る。各ＣＣＡは、無認可無線周波数スペクトル帯域のフレームへのアクセスを求めて競合するために、無認可無線周波数スペクトル帯域の対応するフレームに対して実行され得る。
【０１００】
[0118]いくつかの例では、データ送信管理モジュール８５０は、図７を参照しながら説明したデータ送信管理モジュール７４０の１つまたは複数の態様の一例であり得る。いくつかの例では、データ送信管理モジュール８５０は、装置８０５によるデータの送信を管理するために使用され得る。いくつかの例では、送信されたデータは、第１の事業者と第２の事業者との間の合意を条件とするデータを含み得る。
【０１０１】
[0119]データ送信管理モジュール８５０が、無認可無線周波数スペクトル帯域のフレームに対して実行されたＣＣＡが失敗したと決定すると、データ送信管理モジュール８５０は、そのフレーム中のデータの送信をなしで済ませ（forego）得る。
【０１０２】
[0120]データ送信管理モジュール８５０が、無認可無線周波数スペクトル帯域のフレームに対して実行されたＣＣＡが成功したが、そのフレームが合意を条件とするデータを送信するためのフレームでないと決定すると、データ送信管理モジュール８５０は、そのフレーム中の、合意を条件とするデータの送信をなしで済ませ得る。ただし、データ送信管理モジュール８５０は、無認可無線周波数スペクトル帯域を介した他のデータ（たとえば、第１の事業者と第２の事業者との間の合意を条件としないデータ）の送信を管理し得る。
【０１０３】
[0121]データ送信管理モジュール８５０が、無認可無線周波数スペクトル帯域のフレームに対して実行されたＣＣＡが成功し、そのフレームが合意を条件とするデータを送信するためのフレームであると決定すると、データ送信管理モジュール８５０は、合意を条件とするデータを無認可無線周波数スペクトル帯域を介して送信させ得る。場合によっては、データ送信管理モジュール８５０は、そのフレーム中の、合意を条件とするデータの送信をなしで済ませ得る。
【０１０４】
[0122]図９に、本開示の様々な態様による、ワイヤレス通信において使用するための装置９０５のブロック図９００を示す。いくつかの例では、装置９０５は、図１、図２、および／または図３を参照しながら説明した基地局１０５、２０５、２０５−ａ、３０５、および／または３０５−ａのうちの１つまたは複数の態様の一例、ならびに／あるいは図７を参照しながら説明した装置７０５の態様の一例であり得る。いくつかの例では、装置９０５は、無認可無線周波数スペクトル帯域を介する事業者の展開中の第１の事業者に関連する第１のノードの一部であり得る。装置９０５および／または第１のノードは、いくつかの例では、ＬＴＥ／ＬＴＥ−Ａ  ｅＮＢおよび／またはＬＴＥ／ＬＴＥ−Ａ基地局であるか、またはその一部であり得る。装置９０５はまたプロセッサであり得る。装置９０５は、受信機モジュール９１０、ワイヤレス通信管理モジュール９２０、および／または送信機モジュール９３０を含み得る。これらの構成要素の各々は互いに通信していることがある。
【０１０５】
[0123]装置９０５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１０６】
[0124]いくつかの例では、受信機モジュール９１０は、図７を参照しながら説明した受信機モジュール７１０の１つまたは複数の態様の一例であり得る。いくつかの例では、受信機モジュール９１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つの無線周波数（ＲＦ）受信機を含み得る。いくつかの例では、認可無線周波数スペクトル帯域および／または無認可無線周波数スペクトル帯域は、たとえば、図１、図２、図３、図４、図５、図６、および／または図７を参照しながら説明したように、ＬＴＥ／ＬＴＥ−Ａ通信のために使用され得る。受信機モジュール９１０は、場合によっては、認可無線周波数スペクトル帯域および無認可無線周波数スペクトル帯域のための別個の受信機を含み得る。別個の受信機は、いくつかの例では、認可無線周波数スペクトル帯域上で通信するための認可ＬＴＥ／ＬＴＥ−Ａ  ＲＦスペクトル帯域受信機モジュール９１２、および無認可無線周波数スペクトル帯域上で通信するための無認可ＬＴＥ／ＬＴＥ−Ａ  ＲＦスペクトル帯域受信機モジュール９１４の形態をとり得る。いくつかの例では、受信機モジュール９１０はまた、バックホール受信機モジュール９１６を含み得る。認可ＬＴＥ／ＬＴＥ−Ａ  ＲＦスペクトル帯域受信機モジュール９１２、無認可ＬＴＥ／ＬＴＥ−Ａ  ＲＦスペクトル帯域受信機モジュール９１４、および／またはバックホール受信機モジュール９１６を含む受信機モジュール９１０は、図１、図２、および／または図３を参照しながら説明したワイヤレス通信システム１００、２００、および／または３００の１つまたは複数の通信リンクおよび／またはバックホールリンクなど、ワイヤレス通信システムの１つまたは複数の通信リンクおよび／またはバックホールリンクを介して、様々なタイプのデータおよび／または制御信号（すなわち、送信）を受信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１０７】
[0125]いくつかの例では、送信機モジュール９３０は、図７を参照しながら説明した送信機モジュール７３０の１つまたは複数の態様の一例であり得る。いくつかの例では、送信機モジュール９３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール９３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するための認可ＬＴＥ／ＬＴＥ−Ａ  ＲＦスペクトル帯域送信機モジュール９３２、および無認可無線周波数スペクトル帯域を介して通信するための無認可ＬＴＥ／ＬＴＥ−Ａ  ＲＦスペクトル帯域送信機モジュール９３４の形態をとり得る。いくつかの例では、送信機モジュール９３０はまた、バックホール送信機モジュール９３６を含み得る。認可ＬＴＥ／ＬＴＥ−Ａ  ＲＦスペクトル帯域送信機モジュール９３２、無認可ＬＴＥ／ＬＴＥ−Ａ  ＲＦスペクトル帯域送信機モジュール９３４、および／またはバックホール送信機モジュール９３６を含む、送信機モジュール９３０は、図１、図２、および／または図３を参照しながら説明したワイヤレス通信システム１００、２００、および／または３００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を送信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１０８】
[0126]いくつかの例では、ワイヤレス通信管理モジュール９２０は、図７を参照しながら説明したワイヤレス通信管理モジュール７２０の１つまたは複数の態様の一例であり得る。ワイヤレス通信管理モジュール９２０は、情報受信モジュール９３５、送信協調モジュール９４０、ＣＣＡモジュール９４５、送信ステータス検出モジュール９５０、および／またはデータ送信管理モジュール９５５を含み得る。これらの構成要素の各々は互いに通信していることがある。
【０１０９】
[0127]いくつかの例では、情報受信モジュール９３５は、無認可無線周波数帯域を介したデータの送信に関する情報を受信するために使用され得、そのデータは、無認可無線周波数スペクトル帯域を介して第１の事業者と事業者の展開中の第２の事業者との間の合意に従って送信されるべきである。いくつかの例では、第１の事業者と第２の事業者とは、異なるＰＬＭＮであるか、またはそれを含み得る。
【０１１０】
[0128]いくつかの例では、第１の事業者と第２の事業者との間の合意は、機会主義的な合意を含み得る。機会主義的な合意は、たとえば、第１の事業者（および／あるいは第１のノードを含む第１の事業者の１つまたは複数のノード）が、第２の事業者を支援するためにデータを機会主義的に送信しようと試みることになることを指定し得る。機会主義的な合意は、場合によっては、第２の事業者の１つまたは複数のノード（たとえば、第２の事業者の第２のノードを含む１つまたは複数のノード）の（１つまたは複数の）送信ステータスに基づき得る。たとえば、機会主義的な合意は、１）第１の事業者のノードのノードが、無認可無線周波数スペクトル帯域へのアクセスを獲得し、合意を条件とするデータを送信することが可能であるとき（たとえば、装置９０５が、ＭＢＳＦＮフレーム中に無認可無線周波数スペクトル帯域へのアクセスを獲得するとき）、および、２）第２の事業者のノード（たとえば、第２のノード）が、データを送信したか、送信しているか、または送信することになることを第１の事業者のノードが検出するフレーム中に、第１の事業者のノード（たとえば、装置９０５を含むノード）が合意を条件とするデータを送信しようと試みることになることを指定し得る。上記の説明および図９の説明の他の場所では、第２のノードは、１次ノード（すなわち、合意を条件とするデータを送信することが意図されるノード）と見なされ得、第１のノード（たとえば、装置９０５を含むノード）は、２次ノード（すなわち、第２の事業者のデータ送信を支援するために第２のノードから送信されることが意図されるデータが送信されるノード）と見なされ得る。上記の説明および図９の説明の他の場所ではまた、第２のノードは、装置９０５を含むノードのネイバーノードであり得る。いくつかの例では、装置９０５を含むノードまたは第２のノードのうちの少なくとも１つは、ＬＴＥ／ＬＴＥ−Ａ  ｅＮＢおよび／またはＬＴＥ／ＬＴＥ−Ａ基地局であるか、またはそれを含み得る。
【０１１１】
[0129]別の例として、第１の事業者と第２の事業者との間の機会主義的な合意は、たとえば、１）第１の事業者のノードのノードが、無認可無線周波数スペクトル帯域へのアクセスを獲得し、合意を条件とするデータを送信することが可能であるとき（たとえば、装置９０５が、ＭＢＳＦＮフレーム中に無認可無線周波数スペクトル帯域へのアクセスを獲得するとき）、および、２）第２の事業者のノード（たとえば、第２のノード）が、データを送信しなかった、送信していない、および送信しないことになることを第１の事業者のノードが検出するフレーム中に、第１の事業者のノード（たとえば、装置９０５を含むノード）が合意を条件とするデータを送信しようと試みることになることを指定し得る。
【０１１２】
[0130]いくつかの例では、データの送信に関する情報は、ＯＡＭサーバ、第２の事業者に通信可能に結合された第１の事業者のマルチキャスト協調エンティティ、第２の事業者に関連する第２のノード、第１の事業者に関連する第３のノード、第２のノードによって送信されたサービス情報公報、または第２のノードによって送信されたマルチキャストチャネルのうちの少なくとも１つから（たとえば、情報受信モジュール９３５によって）受信され得る。いくつかの例では、データの送信に関する情報は、合意を条件として送信されるべきであるデータ、またはデータの送信についての構成データのうちの少なくとも１つを含み得る。
【０１１３】
[0131]いくつかの例では、送信協調モジュール９４０は、装置９０５を含むノードと第２のノードとの間のデータの送信を協調させるために使用され得る。いくつかの例では、協調は、データを送信するために使用すべきＭＣＣＨ構成を決定すること、そのＭＣＣＨ構成は、装置９０５を含むノードと第２のノードとに共通である、を含み得る。いくつかの例では、協調は、同じくまたは代替的に、データを送信するために使用すべきＳＹＮＣ  ＰＤＵを決定すること、そのＳＹＮＣ  ＰＤＵは、装置９０５を含むノードと第２のノードとに共通である、を含み得る。いくつかの例では、ＭＣＣＨ構成および／またはＳＹＮＣ  ＰＤＵは、コアネットワークを介して（たとえば、図１を参照しながら説明したコアネットワーク１３０などのコアネットワークを介して）および／または第２のノードを介して受信されるシグナリングに基づいて決定され得る。
【０１１４】
[0132]送信協調モジュール９４０による協調は、同じくまたは代替的に、第１のノードによって、無認可無線周波数スペクトル帯域のフレームに対してＣＣＡを実行するためのロケーション（たとえば、図５を参照しながら説明したＤＣＣＡ５４０を実行するためのＤＣＣＡ機会のうちの１つ）を決定することを含み得る。いくつかの例では、ＣＣＡを実行するためのロケーションは、第２のノードによって決定されるＣＣＡのロケーション（たとえば、ＣＣＡを実行するためのロケーションは、第１のノードと第２のノードとに対して同じであり得る）および／またはコアネットワーク（たとえば、コアネットワーク１３０および／または１２４５などのコアネットワーク）によって決定されるＣＣＡのロケーションと整合され得る。他の例では、送信協調モジュール９４０は、図４を参照しながら説明したマッピング関数などのマッピング関数に基づいて、独立してまたは半ば独立してＣＣＡを実行するためのロケーションを決定し得る。いくつかの例では、送信協調モジュール９４０は、他のデータが送信されるべき無認可無線周波数スペクトル帯域のフレームと対比して、合意を条件とするデータが送信されるべき無認可無線周波数スペクトル帯域のフレーム（たとえば、ＭＢＳＦＮフレーム）に対してＣＣＡを実行するためのロケーションを決定するために異なる方法および／または機能を使用し得る。
【０１１５】
[0133]いくつかの例では、ＣＣＡモジュール９４５は、図７を参照しながら説明したＣＣＡモジュール７３５の１つまたは複数の態様の一例であり得る。いくつかの例では、ＣＣＡモジュール９４５は、装置９０５に対するＣＣＡを実行するために使用され得る。各ＣＣＡは、無認可無線周波数スペクトル帯域のフレームへのアクセスを求めて競合するために、無認可無線周波数スペクトル帯域の対応するフレームに対して実行され得る。
【０１１６】
[0134]いくつかの例では、送信ステータス検出モジュール９５０は、無認可無線周波数スペクトル帯域のフレームについて、第２のノードの送信ステータスを決定するために使用され得る。送信ステータスは、第２のノードがフレーム中に合意を条件とするデータを送信したか、送信しているか、または送信することになる第１の送信ステータスと、第２のノードがフレーム中に合意を条件とするデータを送信しなかった、送信していない、および送信しないことになる第２の送信ステータスとのうちの１つを含み得る。
【０１１７】
[0135]いくつかの例では、第２のノードの送信ステータスは、無認可無線周波数スペクトル帯域のフレームについて、第２のノードによって送信されたＣＵＢＳのブラインド検出に基づいて検出され得る。たとえば、送信ステータス検出モジュール９５０が、フレームに対応する第２のノードのＣＵＢＳを検出すると、送信ステータス検出モジュール９５０は、フレームに対応する第２のノードのＣＣＡが成功し、第２のノードが合意を条件とするデータを送信することになると仮定し得る。しかしながら、送信ステータス検出モジュール９５０が、フレームに対応する第２のノードのＣＵＢＳを検出しないと、送信ステータス検出モジュール９５０は、フレームに対応する第２のノードのＣＣＡが失敗し、第２のノードが合意を条件とするデータを送信しないことになると仮定し得る。
【０１１８】
[0136]いくつかの例では、データ送信管理モジュール９５５は、図７を参照しながら説明したデータ送信管理モジュール７４０の１つまたは複数の態様の一例であり得る。いくつかの例では、データ送信管理モジュール９５５は、装置９０５によるデータの送信を管理するために使用され得る。いくつかの例では、送信されたデータは、第１の事業者と第２の事業者との間の合意を条件とするデータを含み得る。
【０１１９】
[0137]データ送信管理モジュール９５５が、無認可無線周波数スペクトル帯域のフレームに対して実行されたＣＣＡが失敗したと決定すると、データ送信管理モジュール９５５は、そのフレーム中にデータの送信をなしで済ませ得る。
【０１２０】
[0138]データ送信管理モジュール９５５が、無認可無線周波数スペクトル帯域のフレームに対して実行されたＣＣＡが成功したが、そのフレームが合意を条件とするデータを送信するためのフレームでないと決定すると、データ送信管理モジュール９５５は、そのフレーム中の、合意を条件とするデータの送信をなしで済ませ得る。ただし、データ送信管理モジュール９５５は、無認可無線周波数スペクトル帯域を介した他のデータ（たとえば、第１の事業者と第２の事業者との間の合意を条件としないデータ）の送信を管理し得る。他のデータが、第２のノードによって送信されるデータと同時に送信され得るとき、他のデータは、第２のノードによる合意を条件とするデータの送信との干渉を回避するために、より低い電力で送信され得る。いくつかの例では、他のデータが送信される電力は、第２のノードの検出された信号電力（たとえば、第２のノードのＣＵＢＳが送信される信号電力）に基づいて設定され得る。
【０１２１】
[0139]データ送信管理モジュール９５５が、無認可無線周波数スペクトル帯域のフレームに対して実行されたＣＣＡが成功し、フレームが合意を条件とするデータを送信するためのフレームであると決定すると、データ送信管理モジュール９５５は、第２のノードの検出された送信ステータスに基づいてデータを送信し得る（または送信しないことがある）。たとえば、１）第２のノードがデータを送信したか、送信しているか、または送信することになることを装置９０５が検出するフレーム中に合意を条件とするデータを送信することによって装置９０５が第２の事業者を支援することになることを第１の事業者と第２の事業者との間の合意が指定するとき、および、２）フレームについての第２のノードの送信ステータスが第１の送信ステータスであること（すなわち、第２のノードが、データを送信したか、送信しているか、または送信することになること）を送信ステータス検出モジュール９５０が検出するとき、データ送信管理モジュール９５５は、合意を条件とするデータを無認可無線周波数スペクトル帯域を介して送信させ得る。場合によっては、データ送信管理モジュール９５５は、フレーム中の、合意を条件とするデータの送信をなしで済ませ得る。同様に、１）第２の事業者のノード（たとえば、第２のノード）がデータを送信しなかった、送信していない、および送信しないことになることを装置９０５が検出するフレーム中に、合意を条件とするデータを送信することによって装置９０５が第２の事業者を支援することになることを第１の事業者と第２の事業者との間の合意が指定するとき、および、２）フレームについての第２のノードの送信ステータスが第２の送信ステータスであること（すなわち、第２のノードが、データを送信しなかったか、送信していないか、または送信しないことになること）を送信ステータス検出モジュール９５０が検出するとき、データ送信管理モジュール９５５は、合意を条件とするデータを無認可無線周波数スペクトル帯域を介して送信させ得る。場合によっては、データ送信管理モジュール９５５は、フレーム中の、合意を条件とするデータの送信をなしで済ませ得る。
【０１２２】
[0140]図１０は、本開示の様々な態様による、ワイヤレス通信において使用するための装置１０１５のブロック図１０００を示す。いくつかの例では、装置１０１５は、図１、図２、および／または図３を参照しながら説明したＵＥ１１５、２１５、２１５−ａ、２１５−ｂ、２１５−ｃ、および／または３１５のうちの１つまたは複数の態様の一例であり得る。装置１０１５はまたプロセッサであり得る。装置１０１５は、受信機モジュール１０１０、ワイヤレス通信管理モジュール１０２０、および／または送信機モジュール１０３０を含み得る。これらの構成要素の各々は互いに通信していることがある。
【０１２３】
[0141]装置１０１５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１２４】
[0142]いくつかの例では、受信機モジュール１０１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つの無線周波数（ＲＦ）受信機を含み得る。いくつかの例では、認可無線周波数スペクトル帯域および／または無認可無線周波数スペクトル帯域は、たとえば、図１、図２、図３、図４、図５、および／または図６を参照しながら説明したように、ＬＴＥ／ＬＴＥ−Ａ通信のために使用され得る。受信機モジュール１０１０は、図１、図２、および／または図３を参照しながら説明したワイヤレス通信システム１００、２００、および／または３００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１２５】
[0143]いくつかの例では、送信機モジュール１０３０は、認可無線周波数スペクトル帯域および／または無認可無線周波数スペクトル帯域を介して送信するように動作可能な少なくとも１つのＲＦ送信機などの少なくとも１つのＲＦ送信機を含み得る。送信機モジュール１０３０は、図１、図２、および／または図３を参照しながら説明したワイヤレス通信システム１００、２００、および／または３００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１２６】
[0144]いくつかの例では、ワイヤレス通信管理モジュール１０２０は、装置１０１５のためのワイヤレス通信の１つまたは複数の態様を管理するために使用され得る。いくつかの例では、ワイヤレス通信管理モジュール１０２０は、データ受信管理モジュール１０３５を含み得る。データ受信管理モジュール１０３５は、無認可無線周波数スペクトル帯域を介して、事業者の展開中の第１の事業者に関連する第１のノードから第１の送信を受信するために使用され得る。第１の送信は、事業者の展開中の第２の事業者から発信されたデータを含み得る。いくつかの例では、第１の送信は、第１の事業者と事業者の展開中の第２の事業者との間の合意に従って第１のノードによって送信されたデータを含み得る。いくつかの例では、第１の事業者と第２の事業者とは、異なるＰＬＭＮであるか、またはそれを含み得る。第１のノードは、いくつかの例では、ＬＴＥ／ＬＴＥ−Ａ  ｅＮＢおよび／またはＬＴＥ／ＬＴＥ−Ａ基地局であるか、またはそれを含み得る。いくつかの例では、第１のノードは、図１、図２、および／または図３を参照しながら説明した基地局１０５、２０５、２０５−ａ、３０５、および／または３０５−ａのうちの１つまたは複数の態様の一例、ならびに／あるいは図７、図８、および／または図９を参照しながら説明した装置７０５、８０５、および／または９０５のうちの１つまたは複数の態様の一例であり得る。
【０１２７】
[0145]いくつかの例では、装置１０１５は、第２の事業者に関連する第２のノードに接続され得る。第２のノードは、いくつかの例では、第２のＬＴＥ／ＬＴＥ−Ａ  ｅＮＢおよび／または第２のＬＴＥ／ＬＴＥ−Ａ基地局であるか、またはそれを含み得る。
【０１２８】
[0146]図１１に、本開示の様々な態様による、ワイヤレス通信において使用するための装置１１１５のブロック図１１００を示す。いくつかの例では、装置１１１５は、図１、図２、および／または図３を参照しながら説明したＵＥ１１５、２１５、２１５−ａ、２１５−ｂ、２１５−ｃ、および／または３１５のうちの１つまたは複数の態様の一例、ならびに／あるいは図１０を参照しながら説明した装置１０１５の態様の一例であり得る。装置１１１５はまたプロセッサであり得る。装置１１１５は、受信機モジュール１１１０、ワイヤレス通信管理モジュール１１２０、および／または送信機モジュール１１３０を含み得る。これらの構成要素の各々は互いに通信していることがある。
【０１２９】
[0147]装置１１１５の構成要素は、ハードウェアにおいて適用可能な機能の一部または全部を実施するように適応された１つまたは複数の特定用途向け集積回路（ＡＳＩＣ）を使用して、個々にまたは集合的に実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に具体化された命令を用いて実装され得る。
【０１３０】
[0148]いくつかの例では、受信機モジュール１１１０は、図１０を参照しながら説明した受信機モジュール１０１０の１つまたは複数の態様の一例であり得る。いくつかの例では、受信機モジュール１１１０は、認可無線周波数スペクトル帯域（たとえば、無線周波数スペクトル帯域が特定の使用のために特定のユーザ（たとえば、ＬＴＥ／ＬＴＥ−Ａユーザ）に認可されているので、装置がそれのためにアクセスを求めて競合しない無線周波数スペクトル帯域）、ならびに／あるいは無認可無線周波数スペクトル帯域（たとえば、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、装置がそれのためにアクセスを求めて競合する必要があり得る無線周波数スペクトル帯域）を介して送信を受信するように動作可能な少なくとも１つのＲＦ受信機など、少なくとも１つのＲＦ受信機を含み得る。いくつかの例では、認可無線周波数スペクトル帯域および／または無認可無線周波数スペクトル帯域は、たとえば、図１、図２、図３、図４、図５、図６、および／または図１０を参照しながら説明したように、ＬＴＥ／ＬＴＥ−Ａ通信のために使用され得る。受信機モジュール１１１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するための認可ＬＴＥ／ＬＴＥ−Ａ  ＲＦスペクトル帯域受信機モジュール１１１２、および無認可無線周波数スペクトル帯域を介して通信するための無認可ＬＴＥ／ＬＴＥ−Ａ  ＲＦスペクトル帯域受信機モジュール１１１４の形態をとり得る。認可ＬＴＥ／ＬＴＥ−Ａ  ＲＦスペクトル帯域受信機モジュール１１１２および／または無認可ＬＴＥ／ＬＴＥ−Ａ  ＲＦスペクトル帯域受信機モジュール１１１４を含む、受信機モジュール１１１０は、図１、図２、および／または図３を参照しながら説明したワイヤレス通信システム１００、２００、および／または３００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を受信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１３１】
[0149]いくつかの例では、送信機モジュール１１３０は、図１０を参照しながら説明した送信機モジュール１０３０の１つまたは複数の態様の一例であり得る。いくつかの例では、送信機モジュール１１３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。送信機モジュール１１３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するための認可ＬＴＥ／ＬＴＥ−Ａ  ＲＦスペクトル帯域送信機モジュール１１３２、および無認可無線周波数スペクトル帯域を介して通信するための無認可ＬＴＥ／ＬＴＥ−Ａ  ＲＦスペクトル帯域送信機モジュール１１３４の形態をとり得る。認可ＬＴＥ／ＬＴＥ−Ａ  ＲＦスペクトル帯域送信機モジュール１１３２および／または無認可ＬＴＥ／ＬＴＥ−Ａ  ＲＦスペクトル帯域送信機モジュール１１３４を含む、送信機モジュール１１３０は、図１、図２、および／または図３を参照しながら説明したワイヤレス通信システム１００、２００、および／または３００の１つまたは複数の通信リンクおよび／またはバックホールリンクなど、ワイヤレス通信システムの１つまたは複数の通信リンクおよび／またはバックホールリンクを介して様々なタイプのデータおよび／または制御信号（すなわち、送信）を送信するために使用され得る。通信リンクおよび／またはバックホールリンクは、認可無線周波数スペクトル帯域および／または無認可無線周波数スペクトル帯域を介して（ならびに／あるいは、たとえば、図１を参照しながら説明したコアネットワーク１３０などのコアネットワークとの、１つまたは複数のワイヤードまたはワイヤレス接続を介して）確立され得る。
【０１３２】
[0150]いくつかの例では、ワイヤレス通信管理モジュール１１２０は、図１０を参照しながら説明したワイヤレス通信管理モジュール１０２０の１つまたは複数の態様の一例であり得る。ワイヤレス通信管理モジュール１１２０は、データ受信管理モジュール１１３５を含み得る。
【０１３３】
[0151]いくつかの例では、データ受信管理モジュール１１３５は、データ受信管理モジュール１０３５の態様の一例であり得る。いくつかの例では、データ受信管理モジュール１１３５は、スケジューリング情報管理モジュール１１４０を含み得る。
【０１３４】
[0152]いくつかの例では、スケジューリング情報管理モジュール１１４０は、第１の送信についてのスケジューリング情報を受信し得る。第１の送信は、事業者の展開中の第１の事業者に関連する第１のノードからの送信であり得、一方、スケジューリング情報は、第２の事業者に関連する第２のノードから受信され得る。スケジューリング情報は、第１の送信の前に受信され得る。スケジューリング情報は、いくつかの例では、認可無線周波数スペクトル帯域および／または無認可無線周波数スペクトル帯域のうちの少なくとも１つを介して受信され得る。いくつかの例では、第１の事業者と第２の事業者とは、異なるＰＬＭＮであるか、またはそれを含み得る。第１のノードおよび／または第２のノードは、いくつかの例では、それぞれＬＴＥ／ＬＴＥ−Ａ  ｅＮＢおよび／またはＬＴＥ／ＬＴＥ−Ａ基地局であるか、またはそれを含み得る。いくつかの例では、第１のノードは、図１、図２、および／または図３を参照しながら説明した基地局１０５、２０５、３０５、および／または３０５−ａのうちの１つまたは複数の態様の一例、ならびに／あるいは図７、図８、および／または図９を参照しながら説明した装置７０５、８０５、および／または９０５のうちの１つまたは複数の態様の一例であり得る。
【０１３５】
[0153]いくつかの例では、データ受信管理モジュール１１３５は、第１のノードから第１の送信を受信するために使用され得る。第１の送信は、無認可無線周波数スペクトル帯域を介して受信され得る。第１の送信は、第２の事業者から発信されたデータ（および、いくつかの例では、第２のノードから発信されたデータ）を含み得る。第１の送信はまた、第１の事業者と事業者の展開中の第２の事業者との間の合意に従って第１のノードによって送信されたデータを含み得る。
【０１３６】
[0154]いくつかの例では、装置１１１５は、第２の事業者に関連する第２のノードに接続され得る。第２のノードは、いくつかの例では、第２のＬＴＥ／ＬＴＥ−Ａ  ｅＮＢおよび／または第２のＬＴＥ／ＬＴＥ−Ａ基地局であるか、またはそれを含み得る。これらの例では、データ受信管理モジュール１１３５は、無認可無線周波数スペクトル帯域を介して第２のノードから第２の送信を受信し得る。第２の送信は、第２の事業者から発信されたデータを含み得る。いくつかの例では、第１の送信と第２の送信とは同時に受信され得る。いくつかの例では、第１の送信または第２の送信のうちの少なくとも１つは、ＭＢＭＳ送信、ユニキャスト送信、および／または第１のノードと第２のノードとによるＣｏＭＰ送信のうちの少なくとも１つの一部であり得る。いくつかの例では、第２の事業者から発信されたデータの第１の部分は、無認可無線周波数スペクトル帯域の第１のフレーム中に第１のノードから受信され得、第２の事業者から発信されたデータの第２の部分は、無認可無線周波数スペクトル帯域および／または認可無線周波数スペクトル帯域の第２のフレーム中に第２のノードから受信され得る。いくつかの例では、第１のフレームは第２のフレームの前に受信され得る。他の例では、第２のフレームは第１のフレームの前に受信され得る。他の例では、第１のフレームと第２のフレームとは同時に受信され得る。
【０１３７】
[0155]図１２に、本開示の様々な態様による、ワイヤレス通信において使用するための基地局１２０５（たとえば、ｅＮＢの一部または全部を形成する基地局）のブロック図１２００を示す。いくつかの例では、基地局１２０５は、図１、図２、および／または図３を参照しながら説明した基地局１０５、２０５、２０５−ａ、３０５、および／または３０５−ａのうちの１つまたは複数の態様、ならびに／あるいは図７、図８、および／または図９を参照しながら説明した装置７０５、８０５、および／または９０５のうちの１つまたは複数の態様の一例であり得る。基地局１２０５は、図１、図２、図３、図４、図５、図６、図７、図８、および／または図９を参照しながら説明した基地局および／または装置の特徴および機能の少なくともいくつかを実装または可能にするように構成され得る。
【０１３８】
[0156]基地局１２０５は、基地局プロセッサモジュール１２１０、基地局メモリモジュール１２２０、（基地局トランシーバモジュール１２５０によって表される）少なくとも１つの基地局トランシーバモジュール、（基地局アンテナ１２５５によって表される）少なくとも１つの基地局アンテナ、および／または基地局ワイヤレス通信管理モジュール１２６０を含み得る。基地局１２０５はまた、基地局通信モジュール１２３０および／またはネットワーク通信モジュール１２４０のうちの１つまたは複数を含み得る。これらの構成要素の各々は、１つまたは複数のバス１２３５を介して直接または間接的に互いに通信していることがある。
【０１３９】
[0157]基地局メモリモジュール１２２０は、ランダムアクセスメモリ（ＲＡＭ）および／または読取り専用メモリ（ＲＯＭ）を含み得る。基地局メモリモジュール１２２０は、実行されたとき、ワイヤレス通信に関係する本明細書で説明する様々な機能（たとえば、事業者間の合意による無認可無線周波数スペクトル帯域を介してデータを送信することなどに関係する機能）を基地局プロセッサモジュール１２１０に実施させるように構成された命令を含んでいるコンピュータ可読、コンピュータ実行可能コード１２２５を記憶し得る。代替的に、コード１２２５は、基地局プロセッサモジュール１２１０によって直接的に実行可能でないことがあるが、（たとえば、コンパイルされ実行されたとき）本明細書で説明する様々な機能を基地局１２０５に実施させるように構成され得る。
【０１４０】
[0158]基地局プロセッサモジュール１２１０は、インテリジェントハードウェアデバイス、たとえば、中央処理ユニット（ＣＰＵ）、マイクロコントローラ、ＡＳＩＣなどを含み得る。基地局プロセッサモジュール１２１０は、基地局トランシーバモジュール１２５０、基地局通信モジュール１２３０、および／またはネットワーク通信モジュール１２４０を通して受信された情報を処理し得る。基地局プロセッサモジュール１２１０はまた、アンテナ１２５５を通じた送信のためにトランシーバモジュール１２５０に、１つまたは複数の他の基地局１２０５−ａおよび１２０５−ｂへの送信のために基地局通信モジュール１２３０に、ならびに／または図１を参照しながら説明したコアネットワーク１３０の１つまたは複数の態様の一例であり得るコアネットワーク１２４５への送信のためにネットワーク通信モジュール１２４０に、送られるべき情報を処理し得る。基地局プロセッサモジュール１２１０は、単独でまたは基地局ワイヤレス通信管理モジュール１２６０とともに、第１の無線周波数スペクトル帯域（たとえば、ＬＴＥ／ＬＴＥ−Ａ通信のために使用可能な認可無線周波数スペクトル帯域など、無線周波数スペクトル帯域が特定の使用のために特定のユーザに認可されているので、装置がそれのためにアクセスを求めて競合しない無線周波数スペクトル帯域）、ならびに／あるいは第２の無線周波数スペクトル帯域（たとえば、無線周波数スペクトル帯域が少なくとも部分的にＷｉ−Ｆｉ使用および／または無認可ＬＴＥ／ＬＴＥ−Ａ使用などの無認可使用のために利用可能であるので、装置がそれのためにアクセスを求めて競合する必要があり得る無線周波数スペクトル帯域）を介して通信すること（またはその帯域を介した通信を管理すること）の様々な態様を扱い得る。
【０１４１】
[0159]基地局トランシーバモジュール１２５０は、パケットを変調し、変調されたパケットを送信のために基地局アンテナ１２５５に提供し、基地局アンテナ１２５５から受信されたパケットを復調するように構成されたモデムを含み得る。基地局トランシーバモジュール１２５０は、いくつかの例では、１つまたは複数の基地局送信機モジュールおよび１つまたは複数の別個の基地局受信機モジュールとして実装され得る。基地局トランシーバモジュール１２５０は、第１の無線周波数スペクトル帯域および／または第２の無線周波数スペクトル帯域における通信をサポートし得る。基地局トランシーバモジュール１２５０は、図１、図２、および／または図３を参照しながら説明したＵＥ１１５、２１５、２１５−ａ、２１５−ｂ、２１５−ｃ、および／または３１５のうちの１つまたは複数、ならびに／あるいは図７、図８、および／または図９を参照しながら説明した装置７０５、８０５、および／または９０５のうちの１つまたは複数など、１つまたは複数のＵＥまたは装置と、アンテナ１２５５を介して双方向に通信するように構成され得る。基地局１２０５は、たとえば、複数の基地局アンテナ１２５５（たとえば、アンテナアレイ）を含み得る。基地局１２０５は、ネットワーク通信モジュール１２４０を通じてコアネットワーク１２４５と通信し得る。基地局１２０５はまた、基地局通信モジュール１２３０を使用して、基地局１２０５−ａおよび１２０５−ｂなどの他の基地局と通信し得る。
【０１４２】
[0160]基地局ワイヤレス通信管理モジュール１２６０は、第１の無線周波数スペクトル帯域および／または第２の無線周波数スペクトル帯域を介したワイヤレス通信に関係する図１、図２、図３、図４、図５、図６、図７、図８、および／または図９を参照しながら説明した特徴および／または機能の一部または全部を実施および／または制御するように構成され得る（たとえば、事業者間の合意による第２の（または無認可の）無線周波数スペクトル帯域を介してデータを送信することなどに関係する機能）。たとえば、基地局ワイヤレス通信管理モジュール１２６０は、第１の無線周波数スペクトル帯域および／または第２の無線周波数スペクトル帯域を使用して補足ダウンリンクモード、キャリアアグリゲーションモード、および／またはスタンドアロンモードをサポートするように構成され得る。基地局ワイヤレス通信管理モジュール１２６０は、第１の無線周波数スペクトル帯域におけるＬＴＥ／ＬＴＥ−Ａ通信を扱うように構成された基地局ＬＴＥ／ＬＴＥ−Ａ認可スペクトルモジュール１２６５と、第２の無線周波数スペクトル帯域におけるＬＴＥ／ＬＴＥ−Ａ通信を扱うように構成された基地局ＬＴＥ／ＬＴＥ−Ａ無認可スペクトルモジュール１２７０とを含み得る。基地局ワイヤレス通信管理モジュール１２６０またはそれの一部は、プロセッサを含み得、ならびに／または、基地局ワイヤレス通信管理モジュール１２６０の機能の一部または全部は、基地局プロセッサモジュール１２１０によって、および／または基地局プロセッサモジュール１２１０に関連して実施され得る。いくつかの例では、基地局ワイヤレス通信管理モジュール１２６０は、図７、図８、および／または図９を参照しながら説明したワイヤレス通信管理モジュール７２０、８２０、および／または９２０の一例であり得る。
【０１４３】
[0161]図１３は、本開示の様々な態様による、ワイヤレス通信において使用するためのＵＥ１３１５のブロック図１３００を示す。ＵＥ１３１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどであるかまたはそれらの一部であり得る。ＵＥ１３１５は、いくつかの例では、モバイル動作を容易にするために、小型バッテリーなどの内部電源（図示せず）を有し得る。いくつかの例では、ＵＥ１３１５は、図１、図２、および／または図３を参照しながら説明したＵＥ１１５、２１５、２１５−ａ、２１５−ｂ、２１５−ｃ、および／または３１５のうちの１つまたは複数の態様、ならびに／あるいは図１０および／または図１１を参照しながら説明した装置１０１５および／または１１１５のうちの１つまたは複数の態様の一例であり得る。ＵＥ１３１５は、図１、図２、図３、図４、図５、図６、図１０、および／または図１１を参照しながら説明したＵＥおよび／または装置の特徴および機能の少なくともいくつかを実装するように構成され得る。
【０１４４】
[0162]ＵＥ１３１５は、ＵＥプロセッサモジュール１３１０、ＵＥメモリモジュール１３２０、（ＵＥトランシーバモジュール１３３０によって表される）少なくとも１つのＵＥトランシーバモジュール、（ＵＥアンテナ１３４０によって表される）少なくとも１つのＵＥアンテナ、および／またはＵＥワイヤレス通信管理モジュール１３６０を含み得る。これらの構成要素の各々は、１つまたは複数のバス１３３５を介して直接または間接的に互いに通信していることがある。
【０１４５】
[0163]ＵＥメモリモジュール１３２０はＲＡＭおよび／またはＲＯＭを含み得る。ＵＥメモリモジュール１３２０は、実行されたとき、ワイヤレス通信に関係する本明細書で説明する様々な機能（たとえば、事業者間の合意による無認可無線周波数スペクトル帯域を介してデータを送信することなどに関係する機能）をＵＥプロセッサモジュール１３１０に実施させるように構成された命令を含んでいるコンピュータ可読、コンピュータ実行可能コード１３２５を記憶し得る。代替的に、コード１３２５は、ＵＥプロセッサモジュール１３１０によって直接的に実行可能でないことがあるが、（たとえば、コンパイルされ実行されたとき）本明細書で説明する様々な機能をＵＥ１３１５に実施させるように構成され得る。
【０１４６】
[0164]ＵＥプロセッサモジュール１３１０は、インテリジェントハードウェアデバイス、たとえば、ＣＰＵ、マイクロコントローラ、ＡＳＩＣなどを含み得る。ＵＥプロセッサモジュール１３１０は、ＵＥトランシーバモジュール１３３０を通して受信された情報、および／またはＵＥアンテナ１３４０を通した送信のためにＵＥトランシーバモジュール１３３０に送られるべき情報を処理し得る。ＵＥプロセッサモジュール１３１０は、単独でまたはＵＥワイヤレス通信管理モジュール１３６０とともに、第１の無線周波数スペクトル帯域（たとえば、ＬＴＥ／ＬＴＥ−Ａ通信のために使用可能な認可無線周波数スペクトル帯域など、無線周波数スペクトル帯域が特定の使用のために特定のユーザに認可されているので、装置がそれのためにアクセスを求めて競合しない無線周波数スペクトル帯域）、ならびに／あるいは第２の無線周波数スペクトル帯域（たとえば、無線周波数スペクトル帯域が少なくとも部分的にＷｉ−Ｆｉ使用および／または無認可ＬＴＥ／ＬＴＥ−Ａ使用などの無認可使用のために利用可能であるので、装置がそれのためにアクセスを求めて競合する必要があり得る無線周波数スペクトル帯域）を介して通信すること（またはその帯域を介した通信を管理すること）の様々な態様を扱い得る。
【０１４７】
[0165]ＵＥトランシーバモジュール１３３０は、パケットを変調し、変調されたパケットを送信のためにＵＥアンテナ１３４０に提供し、ＵＥアンテナ１３４０から受信されたパケットを復調するように構成されたモデムを含み得る。ＵＥトランシーバモジュール１３３０は、いくつかの例では、１つまたは複数のＵＥ送信機モジュールおよび１つまたは複数の別個のＵＥ受信機モジュールとして実装され得る。ＵＥトランシーバモジュール１３３０は、第１の無線周波数スペクトル帯域および／または第２の無線周波数スペクトル帯域における通信をサポートし得る。ＵＥトランシーバモジュール１３３０は、図１、図２、図３、および／または図１２を参照しながら説明した基地局１０５、２０５、２０５−ａ、３０５、３０５−ａ、および／または１２０５のうちの１つまたは複数、ならびに／あるいは図７、図８、および／または図９を参照しながら説明した装置７０５、８０５、および／または９０５のうちの１つまたは複数と、ＵＥアンテナ１３４０を介して双方向に通信するように構成され得る。ＵＥ１３１５は単一のＵＥアンテナを含み得るが、ＵＥ１３１５が複数のＵＥアンテナ１３４０を含み得る例があり得る。
【０１４８】
[0166]ＵＥ状態モジュール１３５０は、たとえば、ＲＲＣアイドル状態とＲＲＣ接続状態との間のＵＥ１３１５の遷移を管理するために使用され得、１つまたは複数のバス１３３５を介して、直接または間接的に、ＵＥ１３１５の他の構成要素と通信していることがある。ＵＥ状態モジュール１３５０またはそれの部分は、プロセッサを含み得、ならびに／あるいはＵＥ状態モジュール１３５０の機能の一部または全部は、ＵＥプロセッサモジュール１３１０によっておよび／またはＵＥプロセッサモジュール１３１０に関連して実施され得る。
【０１４９】
[0167]ＵＥワイヤレス通信管理モジュール１３６０は、第１の無線周波数スペクトル帯域および／または第２の無線周波数スペクトル帯域を介したワイヤレス通信に関係する図１、図２、図３、図４、図５、図６、図１０、および／または図１１を参照しながら説明した特徴および／または機能の一部または全部を実施および／または制御するように構成され得る（たとえば、事業者間の合意による第２の（または無認可の）無線周波数スペクトル帯域を介してデータを送信することなどに関係する機能）。いくつかの例では、ＵＥワイヤレス通信管理モジュール１３６０は、第１のスペクトルおよび／または第２のスペクトルを使用して補足ダウンリンクモード、キャリアアグリゲーションモード、および／またはスタンドアロンモードをサポートするように構成され得る。ＵＥワイヤレス通信管理モジュール１３６０は、第１の無線周波数スペクトル帯域におけるＬＴＥ／ＬＴＥ−Ａ通信を扱うように構成されたＵＥ  ＬＴＥ／ＬＴＥ−Ａ認可スペクトルモジュール１３６５と、第２の無線周波数スペクトル帯域におけるＬＴＥ／ＬＴＥ−Ａ通信を扱うように構成されたＵＥ  ＬＴＥ／ＬＴＥ−Ａ無認可スペクトルモジュール１３７０とを含み得る。ＵＥワイヤレス通信管理モジュール１３６０またはそれの部分は、プロセッサを含み得、ならびに／あるいはＵＥワイヤレス通信管理モジュール１３６０の機能の一部または全部は、ＵＥプロセッサモジュール１３１０によっておよび／またはＵＥプロセッサモジュール１３１０に関連して実施され得る。いくつかの例では、ＵＥワイヤレス通信管理モジュール１３６０は、図１０および／または図１１を参照しながら説明したワイヤレス通信管理モジュール１０２０および／または１１２０の一例であり得る。
【０１５０】
[0168]図１４は、本開示の様々な態様による、ワイヤレス通信の方法１４００の一例を示すフローチャートである。明快のために、方法１４００について、図１、図２、図３、および／または図１２を参照しながら説明した基地局１０５、２０５、２０５−ａ、３０５、３０５−ａ、および／または１２０５のうちの１つまたは複数の態様、および／または、図７、図８、および／または図９を参照しながら説明した装置７０５、８０５、および／または９０５のうちの１つまたは複数の態様、に関して以下で説明する。いくつかの例では、基地局および／または装置は、以下で説明する機能を実施するように基地局および／または装置の機能要素を制御するためのコードの１つまたは複数のセットを実行し得る。
【０１５１】
[0169]ブロック１４０５において、方法１４００は、無認可無線周波数スペクトル帯域を介して事業者の展開中の第１の事業者に関連する第１のノードに対するＣＣＡを実行することを含み得る。無認可無線周波数スペクトル帯域は、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、ノードがそれのためにアクセスを求めて競合する必要があり得る無線周波数スペクトル帯域であり得る。第１のノードは、いくつかの例ではＬＴＥ／ＬＴＥ−Ａ  ｅＮＢおよび／またはＬＴＥ／ＬＴＥ−Ａ基地局であり得るかまたは含み得る。ブロック１４０５における動作は、図７、図８、図９、および／または図１２を参照しながら説明したワイヤレス通信管理モジュール７２０、８２０、９２０、および／または１２６０、ならびに／あるいは図７、図８、および／または図９を参照しながら説明したＣＣＡモジュール７３５、８４５、および／または９４５を使用して実行され得る。
【０１５２】
[0170]ブロック１４１０において、方法１４００は、ＣＣＡが成功すると、無認可無線周波数スペクトル帯域を介してデータを送信することを含み得る。データは、第１の事業者と事業者の展開中の第２の事業者との間の合意に従って第１のノードによって送信され得る。いくつかの例では、第１の事業者と第２の事業者とは、異なるＰＬＭＮであるか、またはそれを含み得る。いくつかの例では、合意を条件とするデータの送信は、ＭＢＭＳ送信、ユニキャスト送信、および／または第１のノードと第２のノードとによるＣｏＭＰ送信のうちの少なくとも１つの一部であり得る。
【０１５３】
[0171]いくつかの例では、第１の事業者と第２の事業者との間の合意は、あらかじめ定義された合意および／または機会主義的な合意を含み得る。あらかじめ定義された合意は、いくつかの例では、第１の事業者のノード（たとえば、第１のノード）が無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、第１の事業者（および／または第１のノードを含む第１の事業者の１つまたは複数のノード）が合意を条件とするデータを送信しようと試みることになることを指定し得る。機会主義的な合意は、いくつかの例では、第１の事業者（および／あるいは第１のノードを含む第１の事業者の１つまたは複数のノード）が、第２の事業者を支援するためにデータを機会主義的に送信しようと試みることになることを指定し得る。機会主義的な合意は、場合によっては、第２の事業者の１つまたは複数のノード（たとえば、第２のノード）の（１つまたは複数の）送信ステータスに基づき得る。たとえば、機会主義的な合意は、１）第１の事業者のノードが、無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、および、２）第２の事業者のノード（たとえば、第２のノード）が、合意を条件とするデータを送信したか、送信しているか、または送信することになることを第１の事業者のノードが検出したフレーム中に、第１の事業者のノード（たとえば、第１のノード）が合意を条件とするデータを送信しようと試みることになることを指定し得る。別の例として、機会主義的な合意は、１）第１の事業者のノードが、無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、および、２）第２の事業者のノード（たとえば、第２のノード）がデータを送信しなかった、送信していない、および送信しないことになることを、第１の事業者のノードが検出したフレーム中に、第１の事業者のノード（たとえば、第１のノード）が合意を条件とするデータを送信しようと試みることになることを指定し得る。
【０１５４】
[0172]ブロック１４１０における動作は、図７、図８、図９、および／または図１２を参照しながら説明したワイヤレス通信管理モジュール７２０、８２０、９２０、および／または１２６０、ならびに／あるいは図７、図８、および／または図９を参照しながら説明したデータ送信管理モジュール７４０、８５０、および／または９５５を使用して実施され得る。
【０１５５】
[0173]このようにして、方法１４００はワイヤレス通信を提供し得る。方法１４００は一実装形態にすぎず、方法１４００の動作は、他の実装形態が可能であるように再構成されるか、または別様に修正され得ることに留意されたい。
【０１５６】
[0174]図１５は、本開示の様々な態様による、ワイヤレス通信の方法１５００の一例を示すフローチャートである。明快のために、方法１５００について、図１、図２、図３、および／または図１２を参照しながら説明した基地局１０５、２０５、２０５−ａ、３０５、３０５−ａ、および／または１２０５のうちの１つまたは複数の態様、ならびに／あるいは図７および／または図８を参照しながら説明した装置７０５および／または８０５のうちの１つまたは複数の態様に関して以下で説明する。いくつかの例では、基地局および／または装置は、以下で説明する機能を実施するように基地局および／または装置の機能要素を制御するためのコードの１つまたは複数のセットを実行し得る。
【０１５７】
[0175]ブロック１５０５において、方法１５００は、第１の事業者に関連する第１のノードによって、無認可無線周波数帯域を介したデータの送信に関する情報を受信すること、そのデータは、無認可無線周波数スペクトル帯域を介して第１の事業者と事業者の展開中の第２の事業者との間の合意に従って送信されるべきである、を含み得る。無認可無線周波数スペクトル帯域は、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、ノードがそれのためにアクセスを求めて競合する必要があり得る無線周波数スペクトル帯域であり得る。いくつかの例では、第１の事業者と第２の事業者とは、異なるＰＬＭＮであるか、またはそれを含み得る。
【０１５８】
[0176]方法１５００のいくつかの例では、第１の事業者と第２の事業者との間の合意は、あらかじめ定義された合意を含み得る。あらかじめ定義された合意は、たとえば、第１の事業者のノード（たとえば、第１のノード）が無認可無線周波数スペクトル帯域へのアクセスを獲得し、合意を条件とするデータを送信することが可能であるとき（たとえば、第１のノードが、ＭＢＳＦＮフレーム中に無認可無線周波数スペクトル帯域へのアクセスを獲得するとき）、第１の事業者（および／または第１のノードを含む第１の事業者の１つまたは複数のノード）が合意を条件とするデータを送信しようと試みることになることを指定し得る。上記の説明および図１５の説明の他の場所では、第２のノードは、第１のノードのネイバーノードであり得る。いくつかの例では、第１のノードまたは第２のノードのうちの少なくとも１つは、ＬＴＥ／ＬＴＥ−Ａ  ｅＮＢおよび／またはＬＴＥ／ＬＴＥ−Ａ基地局であるか、またはそれを含み得る。
【０１５９】
[0177]方法１５００のいくつかの例では、第１の事業者と第２の事業者との間の合意は、合意を条件とするデータを送信するために割り当てられる第１のノードの帯域幅の割合を定義し得る。
【０１６０】
[0178]方法１５００のいくつかの例では、データの送信に関する情報は、（たとえば、ブロック１５０５において）ＯＡＭサーバ、第２の事業者に通信可能に結合された第１の事業者のマルチキャスト協調エンティティ、第２の事業者に関連する第２のノード、第１の事業者に関連する第３のノード、第２のノードによって送信されたサービス情報公報、または第２のノードによって送信されたマルチキャストチャネルのうちの少なくとも１つから受信され得る。いくつかの例では、データの送信に関する情報は、合意を条件として送信されるべきであるデータ、またはデータの送信についての構成データのうちの少なくとも１つを含み得る。
【０１６１】
[0179]ブロック１５０５における動作は、図７、図８、および／または図１２を参照しながら説明したワイヤレス通信管理モジュール７２０、８２０、および／または１２６０、ならびに／あるいは図８を参照しながら説明した情報受信モジュール８３５を使用して実行され得る。
【０１６２】
[0180]ブロック１５１０において、方法１５００は、第１のノードと第２のノードとの間でのデータの送信を協調させることを含み得る。いくつかの例では、協調は、データを送信するために使用すべきＭＣＣＨ構成を決定すること、そのＭＣＣＨ構成は、第１のノードと第２のノードとに共通である、を含み得る。いくつかの例では、協調は、同じくまたは代替的に、データを送信するために使用すべきＳＹＮＣ  ＰＤＵを決定すること、そのＳＹＮＣ  ＰＤＵは、第１のノードと第２のノードとに共通である、を含み得る。いくつかの例では、ＭＣＣＨ構成および／またはＳＹＮＣ  ＰＤＵは、コアネットワークを介して（たとえば、図１および／または図１２を参照しながら説明したコアネットワーク１３０および／または１２４５などのコアネットワークを介して）および／または第２のノードを介して受信されるシグナリングに基づいて決定され得る。いくつかの例では、協調は、第１のノードと第２のノードとからのＭＢＭＳまたはユニキャストデータが送信される、データを送信するために使用すべきフレームを決定することを含み得る。
【０１６３】
[0181]ブロック１５１０において実行される協調は、同じくまたは代替的に、第１のノードによって、無認可無線周波数スペクトル帯域のフレームに対してＣＣＡを実行するためのロケーション（たとえば、図５を参照しながら説明したＤＣＣＡ５４０を実行するためのＤＣＣＡ機会のうちの１つ）を決定することを含み得る。いくつかの例では、ＣＣＡを実行するためのロケーションは、第２のノードによって決定されるＣＣＡのロケーション（たとえば、ＣＣＡを実行するためのロケーションは、第１のノードと第２のノードとに対して同じであり得る）および／またはコアネットワーク（たとえば、コアネットワーク１３０および／または１２４５などのコアネットワーク）によって決定されるＣＣＡのロケーションと整合され得る。他の例では、第１のノードは、図４を参照しながら説明したマッピング関数などのマッピング関数に基づいて、独立してまたは半ば独立してＣＣＡを実行するためのロケーションを決定し得る。いくつかの例では、第１のノードは、他のデータが送信されるべき無認可無線周波数スペクトル帯域のフレームと対比して、合意を条件とするデータが送信されるべき無認可無線周波数スペクトル帯域のフレーム（たとえば、ＭＢＳＦＮフレーム）に対してＣＣＡを実行するためのロケーションを決定するために異なる方法および／または機能を使用し得る。
【０１６４】
[0182]ブロック１５１０における動作は、図７、図８、および／または図１２を参照しながら説明したワイヤレス通信管理モジュール７２０、８２０、および／または１２６０、ならびに／あるいは図８を参照しながら説明した送信協調モジュール８４０を使用して実行され得る。
【０１６５】
[0183]ブロック１５１５において、方法１５００は、第１のノードに対するＣＣＡを実行することを含み得る。ＣＣＡは、無認可無線周波数スペクトル帯域へのアクセスを求めて競合するために実行され得る。ブロック１５２０において、ＣＣＡが失敗したと決定されると、方法１５００は、ブロック１５２５に進み得、ここで、方法１５００は、第１のノードによって、ＣＣＡが実行されたフレーム中にデータの送信をなしで済ませることを含み得る。ブロック１５２０において、ＣＣＡが成功したと決定されると、方法１５００は、ブロック１５３０に進み得る。ブロック１５１５および／または１５２０における動作は、図７、図８、および／または図１２を参照しながら説明したワイヤレス通信管理モジュール７２０、８２０、および／または１２６０、ならびに／あるいは図７および／または図８を参照しながら説明したＣＣＡモジュール７３５および／または８４５を使用して実行され得る。
【０１６６】
[0184]ブロック１５３０において、方法１５００は、ＣＣＡが成功したフレームが合意を条件とするデータを送信するためのフレームであるかどうかを決定することを含み得る。いくつかの例では、これは、フレームがＭＢＳＦＮフレームであるかどうかを決定することを含み得る。ブロック１５３０において、ＣＣＡが成功したフレームが合意を条件とするデータを送信するためのフレームでないと決定されると、方法１５００は、ブロック１５３５に進み得、ここで、方法１５００は、そのフレーム中に第１のノードによって、無認可無線周波数スペクトル帯域を介した合意を条件とするデータの送信をなしで済ませることを含み得る。いくつかの例では、第１のノードは、合意に従ってデータを送信しないとき、無認可無線周波数スペクトル帯域を介して他のデータ（たとえば、第１の事業者と第２の事業者との間の合意を条件としないデータ）を送信し得る。ブロック１５３０において、ＣＣＡが成功したフレームが合意を条件とするデータを送信するためのフレームであると決定されると、方法１５００は、ブロック１５４０に進み得る。
【０１６７】
[0185]ブロック１５４０において、方法１５００は、第１の事業者と第２の事業者との間の合意に従って、そのフレーム中に第１のノードによって、無認可無線周波数スペクトルを介して合意を条件とするデータを送信することを含み得る。そのデータは、場合によっては、第２のノードによるデータの送信と並行して送信され得る。いくつかの例では、合意を条件とするデータの送信は、ＭＢＭＳ送信（たとえば、第１のノードと第２のノードとによって与えられるジョイントｅＭＢＭＳ送信）、ユニキャスト送信、および／または第１のノードと第２のノードとによるＣｏＭＰ送信の一部であり得る。
【０１６８】
[0186]ブロック１５３０、１５３５、および／または１５４０における動作は、図７、図８、および／または図１２を参照しながら説明したワイヤレス通信管理モジュール７２０、８２０、および／または１２６０、ならびに／あるいは図７および／または図８を参照しながら説明したデータ送信管理モジュール７４０および／または８５０を使用して実行され得る。
【０１６９】
[0187]このようにして、方法１５００はワイヤレス通信を提供し得る。方法１５００は一実装形態にすぎず、方法１５００の動作は、他の実装形態が可能であるように再構成されるか、または別様に修正され得ることに留意されたい。
【０１７０】
[0188]図１６は、本開示の様々な態様による、ワイヤレス通信の方法１６００の一例を示すフローチャートである。明快のために、方法１６００について、図１、図２、図３、および／または図１２を参照しながら説明した基地局１０５、２０５、２０５−ａ、３０５、３０５−ａ、および／または１２０５のうちの１つまたは複数の態様、ならびに／あるいは図７および／または図９を参照しながら説明した装置７０５および／または９０５のうちの１つまたは複数の態様に関して以下で説明する。いくつかの例では、基地局および／または装置は、以下で説明する機能を実施するように基地局および／または装置の機能要素を制御するためのコードの１つまたは複数のセットを実行し得る。
【０１７１】
[0189]ブロック１６０５において、方法１６００は、第１の事業者に関連する第１のノードによって、無認可無線周波数帯域を介したデータの送信に関する情報を受信すること、そのデータは、無認可無線周波数スペクトル帯域を介して第１の事業者と事業者の展開中の第２の事業者との間の合意に従って送信されるべきである、を含み得る。無認可無線周波数スペクトル帯域は、無線周波数スペクトル帯域が少なくとも部分的に無認可使用（たとえば、Ｗｉ−Ｆｉ使用および／または無認可ＬＴＥ／ＬＴＥ−Ａ使用）のために利用可能であるので、ノードがそれのためにアクセスを求めて競合する必要があり得る無線周波数スペクトル帯域であり得る。いくつかの例では、第１の事業者と第２の事業者とは、異なるＰＬＭＮであるか、またはそれを含み得る。
【０１７２】
[0190]方法１６００のいくつかの例では、第１の事業者と第２の事業者との間の合意は、機会主義的な合意を含み得る。機会主義的な合意は、たとえば、第１の事業者（および／あるいは第１のノードを含む第１の事業者の１つまたは複数のノード）が、第２の事業者を支援するためにデータを機会主義的に送信しようと試みることになることを指定し得る。機会主義的な合意は、場合によっては、第２の事業者の１つまたは複数のノード（たとえば、第２の事業者の第２のノードを含む１つまたは複数のノード）の（１つまたは複数の）送信ステータスに基づき得る。たとえば、機会主義的な合意は、１）第１の事業者のノードが、無認可無線周波数スペクトル帯域へのアクセスを獲得し、合意を条件とするデータを送信することが可能であるとき（たとえば、第１の事業者のノードが、ＭＢＳＦＮフレーム中に無認可無線周波数スペクトル帯域へのアクセスを獲得するとき）、および、２）第２の事業者のノード（たとえば、第２のノード）が、データを送信したか、送信しているか、または送信することになることを第１の事業者のノードが検出するフレーム中に、第１の事業者のノード（たとえば、第１のノード）が合意を条件とするデータを送信しようと試みることになることを指定し得る。上記の説明および図１６の説明の他の場所では、第２のノードは、１次ノード（すなわち、合意を条件とするデータを送信することが意図されるノード）と見なされ得、第１のノードは、２次ノード（すなわち、第２の事業者のデータ送信を支援するために第２のノードから送信されることが意図されるデータが送信されるノード）と見なされ得る。同じく、上記の説明および図１６の説明の他の場所では、第２のノードは、第１のノードのネイバーノードであり得る。いくつかの例では、第１のノードまたは第２のノードのうちの少なくとも１つは、ＬＴＥ／ＬＴＥ−Ａ  ｅＮＢおよび／またはＬＴＥ／ＬＴＥ−Ａ基地局であるか、またはそれを含み得る。
【０１７３】
[0191]方法１６００のいくつかの例では、第１の事業者と第２の事業者との間の合意は、合意を条件とするデータを送信するために割り当てられる第１のノードの帯域幅の割合を定義し得る。
【０１７４】
[0192]方法１６００のいくつかの例では、データの送信に関する情報は、（たとえば、ブロック１６０５において）ＯＡＭサーバ、第２の事業者に通信可能に結合された第１の事業者のマルチキャスト協調エンティティ、第２の事業者に関連する第２のノード、第１の事業者に関連する第３のノード、第２のノードによって送信されたサービス情報公報、または第２のノードによって送信されたマルチキャストチャネルのうちの少なくとも１つから受信され得る。いくつかの例では、データの送信に関する情報は、合意を条件として送信されるべきであるデータ、またはデータの送信についての構成データのうちの少なくとも１つを含み得る。
【０１７５】
[0193]ブロック１６０５における動作は、図７、図９、および／または図１２を参照しながら説明したワイヤレス通信管理モジュール７２０、９２０、および／または１２６０、ならびに／あるいは図９を参照しながら説明した情報受信モジュール９３５を使用して実行され得る。
【０１７６】
[0194]ブロック１６１０において、方法１６００は、第１のノードと第２のノードとの間でデータの送信を協調させることを含み得る。いくつかの例では、協調は、データを送信するために使用すべきＭＣＣＨ構成を決定すること、そのＭＣＣＨ構成は、第１のノードと第２のノードとに共通である、を含み得る。いくつかの例では、協調は、同じくまたは代替的に、データを送信するために使用すべきＳＹＮＣ  ＰＤＵを決定すること、そのＳＹＮＣ  ＰＤＵは、第１のノードと第２のノードとに共通である、を含み得る。いくつかの例では、ＭＣＣＨ構成および／またはＳＹＮＣ  ＰＤＵは、コアネットワークを介して（たとえば、図１および／または図１２を参照しながら説明したコアネットワーク１３０および／または１２４５などのコアネットワークを介して）および／または第２のノードを介して受信されるシグナリングに基づいて決定され得る。いくつかの例では、協調は、第１のノードと第２のノードとからのＭＢＭＳまたはユニキャストデータが送信される、データを送信するために使用すべきフレームを決定することを含み得る。
【０１７７】
[0195]ブロック１６１０において実行される協調は、同じくまたは代替的に、第１のノードによって、無認可無線周波数スペクトル帯域のフレームに対してＣＣＡを実行するためのロケーション（たとえば、図５を参照しながら説明したＤＣＣＡ５４０を実行するためのＤＣＣＡ機会のうちの１つ）を決定することを含み得る。いくつかの例では、ＣＣＡを実行するためのロケーションは、第２のノードによって決定されるＣＣＡのロケーション（たとえば、ＣＣＡを実行するためのロケーションは、第１のノードと第２のノードとに対して同じであり得る）および／またはコアネットワーク（たとえば、コアネットワーク１３０および／または１２４５などのコアネットワーク）によって決定されるＣＣＡのロケーションと整合され得る。他の例では、第１のノードは、図４を参照しながら説明したマッピング関数などのマッピング関数に基づいて、独立してまたは半ば独立してＣＣＡを実行するためのロケーションを決定し得る。いくつかの例では、第１のノードは、他のデータが送信されるべき無認可無線周波数スペクトル帯域のフレームと対比して、合意を条件とするデータが送信されるべき無認可無線周波数スペクトル帯域のフレーム（たとえば、ＭＢＳＦＮフレーム）に対してＣＣＡを実行するためのロケーションを決定するために異なる方法および／または機能を使用し得る。
【０１７８】
[0196]ブロック１６１０における動作は、図７、図９、および／または図１２を参照しながら説明したワイヤレス通信管理モジュール７２０、９２０、および／または１２６０、ならびに／あるいは図９を参照しながら説明した送信協調モジュール９４０を使用して実行され得る。
【０１７９】
[0197]ブロック１６１５において、方法１６００は、第１のノードに対するＣＣＡを実行することを含み得る。ＣＣＡは、無認可無線周波数スペクトル帯域へのアクセスを求めて競合するために実行され得る。ブロック１６２０において、ＣＣＡが失敗したと決定されると、方法１６００は、ブロック１６２５に進み得、ここで、方法１６００は、第１のノードによって、ＣＣＡが実行されたフレーム中にデータの送信をなしで済ませることを含み得る。ブロック１６２０において、ＣＣＡが成功したと決定されると、方法１６００は、ブロック１６３０に進み得る。ブロック１６１５および／または１６２０における動作は、図７、図９、および／または図１２を参照しながら説明したワイヤレス通信管理モジュール７２０、９２０、および／または１２６０、ならびに／あるいは図７および／または図９を参照しながら説明したＣＣＡモジュール７３５および／または９４５を使用して実行され得る。
【０１８０】
[0198]ブロック１６３０において、方法１６００は、ＣＣＡが成功したフレームが合意を条件とするデータを送信するためのフレームであるかどうかを決定することを含み得る。いくつかの例では、これは、フレームがＭＢＳＦＮフレームであるかどうかを決定することを含み得る。ブロック１６３０において、ＣＣＡが成功したフレームが合意を条件とするデータを送信するためのフレームでないと決定されると、方法１６００は、ブロック１６４５に進み得る。ブロック１６３０において、ＣＣＡが成功したフレームが合意を条件とするデータを送信するためのフレームであると決定されると、方法１６００は、ブロック１６３５に進み得る。ブロック１６３０における動作は、図７、図９、および／または図１２を参照しながら説明したワイヤレス通信管理モジュール７２０、９２０、および／または１２６０、ならびに／あるいは図７および／または図９を参照しながら説明したデータ送信管理モジュール７４０および／または９５５を使用して実行され得る。
【０１８１】
[0199]ブロック１６３５および／または１６４０において、方法１６００は、第１のノードによって第２のノードの送信ステータスに基づいて、ブロック１６１５において成功したＣＣＡが実行されたフレーム中に合意を条件とするデータを送信すべきかどうかを決定することを含み得る。たとえば、ブロック１６３５において、方法１６００は、ブロック１６１５においてＣＣＡが実行されたフレーム中に第２のノードの送信ステータスを検出することを含み得る。ブロック１６４０において、第２のノードが、そのフレーム中に合意を条件とするデータを送信しなかった、送信していない、および送信しないことになると決定されると、（たとえば、第２のノードによるそのフレーム中のデータの送信の欠如が検出されると）、方法１６００は、ブロック１６４５に進み得、ここで、方法１６００は、そのフレーム中に第１のノードによって、無認可無線周波数スペクトル帯域を介した合意を条件とするデータの送信をなしで済ませることを含み得る。いくつかの例では、第１のノードは、合意に従ってデータを送信しないとき、無認可無線周波数スペクトル帯域を介して他のデータ（たとえば、第１の事業者と第２の事業者との間の合意を条件としないデータ）を送信し得る。
【０１８２】
[0200]ブロック１６４０において、第２のノードが、ブロック１６１５において成功したＣＣＡが実行されたフレーム中にデータを送信したか、送信しているか、または送信することになると決定されると、（たとえば、第２のノードによるフレーム中のデータの送信が検出されると）、方法１６００は、ブロック１６５０に進み得る。
【０１８３】
[0201]いくつかの例では、ブロック１６１５において成功したＣＣＡが実行されたフレーム中の第２のノードの送信ステータスは、第２のノードによって送信されたＣＵＢＳのブラインド検出に基づいて検出され得る。たとえば、第１のノードが、フレームに対応する第２のノードのＣＵＢＳを検出すると、第１のノードは、そのフレームに対応する第２のノードのＣＣＡが成功し、第２のノードが合意を条件とするデータを送信することになると仮定し得る。しかしながら、第１のノードが、フレームに対応する第２のノードのＣＵＢＳを検出しないと、第１のノードは、そのフレームに対応する第２のノードのＣＣＡが失敗したと仮定し得、第１のノードは、第２のノードが合意を条件とするデータを送信しないことになると仮定し得る。
【０１８４】
[0202]ブロック１６３５および／または１６４０における動作は、図７、図９、および／または図１２を参照しながら説明したワイヤレス通信管理モジュール７２０、９２０、および／または１２６０、ならびに／あるいは図９を参照しながら説明した送信ステータス検出モジュール９５０を使用して実行され得る。ブロック１６４５における動作は、図７、図９、および／または図１２を参照しながら説明したワイヤレス通信管理モジュール７２０、９２０、および／または１２６０、ならびに／あるいは図７および／または図９を参照しながら説明したデータ送信管理モジュール７４０および／または９５５を使用して実行され得る。
【０１８５】
[0203]ブロック１６５０において、方法１６００は、第１の事業者と第２の事業者との間の合意に従って、フレーム中に第１のノードによって、無認可無線周波数スペクトルを介して合意を条件とするデータを送信することを含み得る。そのデータは、第２のノードによるデータの送信と並行して送信され得る。いくつかの例では、合意を条件とするデータの送信は、ＭＢＭＳ送信（たとえば、第１のノードと第２のノードとによって与えられるジョイントｅＭＢＭＳ送信）、ユニキャスト送信、および／または第１のノードと第２のノードとによるＣｏＭＰ送信の一部であり得る。ブロック１６５０における動作は、図７、図９、および／または図１２を参照しながら説明したワイヤレス通信管理モジュール７２０、９２０、および／または１２６０、ならびに／あるいは図７および／または図９を参照しながら説明したデータ送信管理モジュール７４０および／または９５５を使用して実行され得る。
【０１８６】
[0204]このようにして、方法１６００はワイヤレス通信を提供し得る。方法１６００は一実装形態にすぎず、方法１６００の動作は、他の実装形態が可能であるように再構成されるか、または別様に修正され得ることに留意されたい。
【０１８７】
[0205]図１７は、本開示の様々な態様による、ワイヤレス通信の方法１７００の一例を示すフローチャートである。明快のために、方法１７００について、図１、図２、図３、および／または図１２を参照しながら説明した基地局１０５、２０５、２０５−ａ、３０５、３０５−ａ、および／または１２０５のうちの１つもしくは複数の態様、ならびに／あるいは図７および／または図９を参照しながら説明した装置７０５および／または９０５のうちの１つまたは複数の態様に関して以下で説明する。いくつかの例では、基地局および／または装置は、以下で説明される機能を実行するように、基地局および／または装置の機能要素を制御するためのコードの１つまたは複数のセットを実行し得る。
【０１８８】
[0206]ブロック１７０５において、方法１７００は、第１の事業者に関連する第１のノードによって、無認可無線周波数帯域を介したデータの送信に関する情報を受信すること、そのデータは、無認可無線周波数スペクトル帯域を介して第１の事業者と事業者の展開中の第２の事業者との間の合意に従って送信されるべきである、を含み得る。無認可無線周波数スペクトル帯域は、無線周波数スペクトル帯域が無認可の用途（たとえば、Ｗｉ−Ｆｉ用途および／または無認可ＬＴＥ／ＬＴＥ−Ａ用途）のために少なくとも部分的に利用可能であるのでノードがそれのためにアクセスを求めて競合する必要があり得る無線周波数スペクトル帯域であり得る。いくつかの例では、第１の事業者と第２の事業者とは、異なるＰＬＭＮであるか、またはそれを含み得る。
【０１８９】
[0207]方法１７００のいくつかの例では、第１の事業者と第２の事業者との間の合意は、機会主義的な合意を含み得る。機会主義的な合意は、たとえば、第１の事業者（および／あるいは第１のノードを含む第１の事業者の１つまたは複数のノード）が、第２の事業者を支援するためにデータを機会主義的に送信しようと試みることになることを指定し得る。機会主義的な合意は、場合によっては、第２の事業者の１つまたは複数のノード（たとえば、第２の事業者の第２のノードを含む１つまたは複数のノード）の（１つまたは複数の）送信ステータスに基づき得る。たとえば、機会主義的な合意は、１）第１の事業者のノードが、無認可無線周波数スペクトル帯域へのアクセスを獲得し、合意を条件とするデータを送信することが可能であるとき（たとえば、第１の事業者のノードが、ＭＢＳＦＮフレーム中に無認可無線周波数スペクトル帯域へのアクセスを獲得するとき）、および、２）第２の事業者のノード（たとえば、第２のノード）が、データを送信しなかった、送信していない、および送信しないことになることを第１の事業者のノードが検出するフレーム中に、第１の事業者のノード（たとえば、第１のノード）が合意を条件とするデータを送信しようと試みることになることを指定し得る。上記の説明および図１７の説明の他の場所では、第２のノードは、１次ノード（すなわち、合意を条件とするデータを送信することが意図されるノード）と見なされ得、第１のノードは、２次ノード（すなわち、第２のノードがデータ送信を行うことができないときに第２の事業者のデータ送信を支援するために第２のノードから送信されることが意図されるデータが送信されるノード）と見なされ得る。同じく、上記の説明および図１７の説明の他の場所では、第２のノードは、第１のノードのネイバーノードであり得る。いくつかの例では、第１のノードまたは第２のノードのうちの少なくとも１つは、ＬＴＥ／ＬＴＥ−Ａ  ｅＮＢおよび／またはＬＴＥ／ＬＴＥ−Ａ基地局であるか、またはそれを含み得る。
【０１９０】
[0208]方法１７００のいくつかの例では、第１の事業者と第２の事業者との間の合意は、合意を条件とするデータを送信するために割り当てられる第１のノードの帯域幅の割合を定義し得る。
【０１９１】
[0209]方法１７００のいくつかの例では、データの送信に関する情報は、（たとえば、ブロック１７０５において）ＯＡＭサーバ、第２の事業者に通信可能に結合された第１の事業者のマルチキャスト協調エンティティ、第２の事業者に関連する第２のノード、第１の事業者に関連する第３のノード、第２のノードによって送信されたサービス情報公報、または第２のノードによって送信されたマルチキャストチャネルのうちの少なくとも１つから受信され得る。いくつかの例では、データの送信に関する情報は、合意を条件として送信されるべきであるデータ、またはデータの送信についての構成データのうちの少なくとも１つを含み得る。
【０１９２】
[0210]ブロック１７０５における動作は、図７、図９、および／または図１２を参照しながら説明したワイヤレス通信管理モジュール７２０、９２０、および／または１２６０、ならびに／あるいは図９を参照しながら説明した情報受信モジュール９３５を使用して実行され得る。
【０１９３】
[0211]ブロック１７１０において、方法１７００は、第１のノードと第２のノードとの間でデータの送信を協調させることを含み得る。いくつかの例では、協調は、データを送信するために使用すべきＭＣＣＨ構成を決定すること、そのＭＣＣＨ構成は、第１のノードと第２のノードとに共通である、を含み得る。いくつかの例では、協調は、同じくまたは代替的に、データを送信するために使用すべきＳＹＮＣ  ＰＤＵを決定すること、そのＳＹＮＣ  ＰＤＵは、第１のノードと第２のノードとに共通である、を含み得る。いくつかの例では、ＭＣＣＨ構成および／またはＳＹＮＣ  ＰＤＵは、コアネットワークを介して（たとえば、図１および／または図１２を参照しながら説明したコアネットワーク１３０および／または１２４５などのコアネットワークを介して）および／または第２のノードを介して受信されるシグナリングに基づいて決定され得る。いくつかの例では、協調は、第１のノードと第２のノードとからのＭＢＭＳまたはユニキャストデータが送信される、データを送信するために使用すべきフレームを決定することを含み得る。
【０１９４】
[0212]ブロック１７１０において実行される協調は、同じくまたは代替的に、第１のノードによって、無認可無線周波数スペクトル帯域のフレームに対してＣＣＡを実行するためのロケーション（たとえば、図５を参照しながら説明したＤＣＣＡ５４０を実行するためのＤＣＣＡ機会のうちの１つ）を決定することを含み得る。いくつかの例では、ＣＣＡを実行するためのロケーションは、第２のノードによって決定されるＣＣＡのロケーション（たとえば、ＣＣＡを実行するためのロケーションは、第１のノードと第２のノードとに対して同じであり得る）および／またはコアネットワーク（たとえば、コアネットワーク１３０および／または１２４５などのコアネットワーク）によって決定されるＣＣＡのロケーションと整合され得る。他の例では、第１のノードは、図４を参照しながら説明したマッピング関数などのマッピング関数に基づいて、独立してまたは半ば独立してＣＣＡを実行するためのロケーションを決定し得る。いくつかの例では、第１のノードは、他のデータが送信されるべき無認可無線周波数スペクトル帯域のフレームと対比して、合意を条件とするデータが送信されるべき無認可無線周波数スペクトル帯域のフレーム（たとえば、ＭＢＳＦＮフレーム）に対してＣＣＡを実行するためのロケーションを決定するために異なる方法および／または機能を使用し得る。
【０１９５】
[0213]ブロック１７１０における動作は、図７、図９、および／または図１２を参照しながら説明したワイヤレス通信管理モジュール７２０、９２０、および／または１２６０、ならびに／あるいは図９を参照しながら説明した送信協調モジュール９４０を使用して実行され得る。
【０１９６】
[0214]ブロック１７１５において、方法１７００は、第１のノードに対するＣＣＡを実行することを含み得る。ＣＣＡは、無認可無線周波数スペクトル帯域へのアクセスを求めて競合するために実行され得る。ブロック１７２０において、ＣＣＡが失敗したと決定されると、方法１７００は、ブロック１７２５に進み得、ここで、方法１７００は、第１のノードによって、ＣＣＡが実行されたフレーム中にデータの送信をなしで済ませることを含み得る。ブロック１７２０において、ＣＣＡが成功したと決定されると、方法１７００は、ブロック１７３０に進み得る。ブロック１７１５および／または１７２０における動作は、図７、図９、および／または図１２を参照しながら説明したワイヤレス通信管理モジュール７２０、９２０、および／または１２６０、ならびに／あるいは図７および／または図９を参照しながら説明したＣＣＡモジュール７３５および／または９４５を使用して実行され得る。
【０１９７】
[0215]ブロック１７３０において、方法１７００は、ＣＣＡが成功したフレームが合意を条件とするデータを送信するためのフレームであるかどうかを決定することを含み得る。いくつかの例では、これは、フレームがＭＢＳＦＮフレームであるかどうかを決定することを含み得る。ブロック１７３０において、ＣＣＡが成功したフレームが合意を条件とするデータを送信するためのフレームでないと決定されると、方法１７００は、ブロック１７４５に進み得る。ブロック１７３０において、ＣＣＡが成功したフレームが合意を条件とするデータを送信するためのフレームであると決定されると、方法１７００は、ブロック１７３５に進み得る。ブロック１７３０における動作は、図７、図９、および／または図１２を参照しながら説明したワイヤレス通信管理モジュール７２０、９２０、および／または１２６０、ならびに／あるいは図７および／または図９を参照しながら説明したデータ送信管理モジュール７４０および／または９５５を使用して実行され得る。
【０１９８】
[0216]ブロック１７３５および／または１７４０において、方法１７００は、第１のノードによって第２のノードの送信ステータスに基づいて、ブロック１７１５において成功したＣＣＡが実行されたフレーム中に合意を条件とするデータを送信すべきかどうかを決定することを含み得る。たとえば、ブロック１７３５において、方法１７００は、ブロック１７１５においてＣＣＡが実行されたフレーム中に第２のノードの送信ステータスを検出することを含み得る。ブロック１７４０において、第２のノードが、そのフレーム中に合意を条件とするデータを送信したか、送信しているか、または送信することになると決定されると、（たとえば、第２のノードによるフレーム中のデータの送信が検出されると）、方法１７００は、ブロック１７４５に進み得、ここで、方法１７００は、そのフレーム中に第１のノードによって、無認可無線周波数スペクトル帯域を介した合意を条件とするデータの送信をなしで済ませることを含み得る。いくつかの例では、第１のノードは、合意に従ってデータを送信しないとき、無認可無線周波数スペクトル帯域を介して他のデータ（たとえば、第１の事業者と第２の事業者との間の合意を条件としないデータ）を送信し得る。いくつかの例では、他のデータは、第２のノードによる合意を条件とするデータの送信との干渉を回避するために、より低い電力で送信され得る。いくつかの例では、他のデータが送信される電力は、第２のノードの検出された信号電力（たとえば、第２のノードのＣＵＢＳが送信される信号電力）に基づいて設定され得る。
【０１９９】
[0217]ブロック１７４０において、第２のノードが、ブロック１７１５において成功したＣＣＡが実行されたフレーム中にデータを送信しなかった、送信していない、および送信しないことになると決定されると、（たとえば、第２のノードによるフレーム中のデータの送信の欠如が検出されると）、方法１７００は、ブロック１７５０に進み得る。
【０２００】
[0218]いくつかの例では、ブロック１７１５において成功したＣＣＡが実行されたフレーム中の第２のノードの送信ステータスは、第２のノードによって送信されたＣＵＢＳのブラインド検出に基づいて検出され得る。たとえば、第１のノードが、フレームに対応する第２のノードのＣＵＢＳを検出すると、第１のノードは、そのフレームに対応する第２のノードのＣＣＡが成功し、第２のノードが合意を条件とするデータを送信することになると仮定し得る。しかしながら、第１のノードが、フレームに対応する第２のノードのＣＵＢＳを検出しないと、第１のノードは、そのフレームに対応する第２のノードのＣＣＡが失敗したと仮定し得、第１のノードは、第２のノードが合意を条件とするデータを送信しないことになると仮定し得る。
【０２０１】
[0219]ブロック１７３５および／または１７４０における動作は、図７、図９、および／または図１２を参照しながら説明したワイヤレス通信管理モジュール７２０、９２０、および／または１２６０、ならびに／あるいは図９を参照しながら説明した送信ステータス検出モジュール９５０を使用して実行され得る。ブロック１７４５における動作は、図７、図９、および／または図１２を参照しながら説明したワイヤレス通信管理モジュール７２０、９２０、および／または１２６０、ならびに／あるいは図７および／または図９を参照しながら説明したデータ送信管理モジュール７４０および／または９５５を使用して実行され得る。
【０２０２】
[0220]ブロック１７５０において、方法１７００は、第１の事業者と第２の事業者との間の合意に従って、フレーム中に第１のノードによって、無認可無線周波数スペクトルを介して合意を条件とするデータを送信することを含み得る。いくつかの例では、合意を条件とするデータの送信は、ＭＢＭＳ送信（たとえば、第１のノードと第２のノードとによって与えられるジョイントｅＭＢＭＳ送信）、ユニキャスト送信、および／または第１のノードと第２のノードとによるＣｏＭＰ送信の一部であり得る。ブロック１７５０における動作は、図７、図９、および／または図１２を参照しながら説明したワイヤレス通信管理モジュール７２０、９２０、および／または１２６０、ならびに／あるいは図７および／または図９を参照しながら説明したデータ送信管理モジュール７４０および／または９５５を使用して実行され得る。
【０２０３】
[0221]したがって、方法１７００はワイヤレス通信を提供し得る。方法１７００は一実装形態にすぎず、方法１７００の動作は、他の実装形態が可能であるように再構成されるか、または場合によっては修正され得ることに留意されたい。
【０２０４】
[0222]いくつかの例では、方法１４００、１５００、１６００、および／または１７００のうちの１つまたは複数の態様が組み合わされ得る。
【０２０５】
[0223]図１８は、本開示の様々な態様による、ワイヤレス通信の方法１８００の一例を示すフローチャートである。明快のために、方法１８００について、図１、図２、図３、および／または図１３を参照しながら説明したＵＥ１１５、２１５、２１５−ａ、２１５−ｂ、２１５−ｃ、３１５、および／または１３１５のうちの１つもしくは複数の態様、ならびに／あるいは図１０および／または図１１を参照しながら説明した装置１０１５および／または１１１５のうちの１つまたは複数の態様に関して以下で説明する。いくつかの例では、ＵＥおよび／または装置は、以下で説明される機能を実行するように、ＵＥおよび／または装置の機能要素を制御するためのコードの１つまたは複数のセットを実行し得る。
【０２０６】
[0224]ブロック１８０５において、方法１８００は、無認可無線周波数スペクトル帯域を介して、ＵＥにおいて、事業者の展開中の第１の事業者に関連する第１のノードから第１の送信を受信することを含み得る。第１の送信は、事業者の展開中の第２の事業者から発信されたデータを含み得る。いくつかの例では、第１の送信は、第１の事業者と事業者の展開中の第２の事業者との間の合意に従って第１のノードによって送信されたデータを含み得る。無認可無線周波数スペクトル帯域は、無線周波数スペクトル帯域が無認可の用途（たとえば、Ｗｉ−Ｆｉ用途および／または無認可ＬＴＥ／ＬＴＥ−Ａ用途）のために少なくとも部分的に利用可能であるのでノードがそれのためにアクセスを求めて競合する必要があり得る無線周波数スペクトル帯域であり得る。いくつかの例では、第１の事業者と第２の事業者とは、異なるＰＬＭＮであるか、またはそれを含み得る。第１のノードは、いくつかの例では、ＬＴＥ／ＬＴＥ−Ａ  ｅＮＢおよび／またはＬＴＥ／ＬＴＥ−Ａ基地局であるか、またはそれを含み得る。いくつかの例では、第１のノードは、図１、図２、図３、および／または図１２を参照しながら説明した基地局１０５、２０５、３０５、３０５−ａ、および／または１２０５のうちの１つまたは複数の態様の一例、ならびに／あるいは図７、図８、および／または図９を参照しながら説明した装置７０５、８０５、および／または９０５のうちの１つまたは複数の態様の一例であり得る。ブロック１８０５における動作は、図１０、図１１、および／または図１３を参照しながら説明したワイヤレス通信管理モジュール１０２０、１１２０、および／または１３６０、ならびに／あるいは図１０および／または図１１を参照しながら説明したデータ受信管理モジュール１０３５および／または１１３５を使用して実行され得る。
【０２０７】
[0225]方法１８００のいくつかの例では、ＵＥは、第２の事業者に関連する第２のノードに接続され得る。第２のノードは、いくつかの例では、第２のＬＴＥ／ＬＴＥ−Ａ  ｅＮＢおよび／または第２のＬＴＥ／ＬＴＥ−Ａ基地局であるか、またはそれを含み得る。
【０２０８】
[0226]したがって、方法１８００はワイヤレス通信を提供し得る。方法１８００は一実装形態にすぎず、方法１８００の動作は、他の実装形態が可能であるように再構成されるか、または場合によっては修正され得ることに留意されたい。
【０２０９】
[0227]図１９は、本開示の様々な態様による、ワイヤレス通信の方法１９００の一例を示すフローチャートである。明快のために、方法１９００について、図１、図２、図３、および／または図１３を参照しながら説明したＵＥ１１５、２１５、２１５−ａ、２１５−ｂ、２１５−ｃ、３１５、および／または１３１５のうちの１つもしくは複数の態様、ならびに／あるいは図１０および／または図１１を参照しながら説明した装置１０１５および／または１１１５のうちの１つまたは複数の態様に関して以下で説明する。いくつかの例では、ＵＥおよび／または装置は、以下で説明される機能を実行するように、ＵＥおよび／または装置の機能要素を制御するためのコードの１つまたは複数のセットを実行し得る。
【０２１０】
[0228]ブロック１９０５において、方法１９００は、第１の送信についてのスケジューリング情報を受信することを含み得る。スケジューリング情報は、たとえば、ＵＥにおいて受信され得る。第１の送信は、事業者の展開中の第１の事業者に関連する第１のノードからの送信であり得、一方、スケジューリング情報は、第２の事業者に関連する第２のノードから受信され得る。スケジューリング情報は、第１の送信の前に受信され得る。スケジューリング情報は、いくつかの例では、認可無線周波数スペクトル帯域および／または無認可無線周波数スペクトル帯域のうちの少なくとも１つを介して受信され得る。認可無線周波数スペクトル帯域は、無線周波数スペクトル帯域が特定の用途のために特定のユーザ（たとえば、ＬＴＥ／ＬＴＥ−Ａユーザ）に認可されるので装置がそれのためにアクセスを求めて競合しない無線周波数スペクトル帯域であり得る。無認可無線周波数スペクトル帯域は、無線周波数スペクトル帯域が無認可の用途（たとえば、Ｗｉ−Ｆｉ用途および／または無認可ＬＴＥ／ＬＴＥ−Ａ用途）のために少なくとも部分的に利用可能であるのでノードがそれのためにアクセスを求めて競合する必要があり得る無線周波数スペクトル帯域であり得る。いくつかの例では、第１の事業者と第２の事業者とは、異なるＰＬＭＮであるか、またはそれを含み得る。第１のノードおよび／または第２のノードは、いくつかの例では、それぞれＬＴＥ／ＬＴＥ−Ａ  ｅＮＢおよび／またはＬＴＥ／ＬＴＥ−Ａ基地局であるか、またはそれを含み得る。いくつかの例では、第１のノードは、図１、図２、図３、および／または図１２を参照しながら説明した基地局１０５、２０５、３０５、３０５−ａ、および／または１２０５のうちの１つまたは複数の態様の一例、ならびに／あるいは図７、図８、および／または図９を参照しながら説明した装置７０５、８０５、および／または９０５のうちの１つまたは複数の態様の一例であり得る。ブロック１９０５における動作は、図１０、図１１、および／または図１３を参照しながら説明したワイヤレス通信管理モジュール１０２０、１１２０、および／または１３６０、ならびに／あるいは図１１を参照しながら説明したスケジューリング情報管理モジュール１１４０を使用して実行され得る。
【０２１１】
[0229]ブロック１９１０において、方法１９００は、第１のノードから第１の送信を受信することを含み得る。第１の送信は、ブロック１９０５においてスケジューリング情報を受信したＵＥにおいて、無認可無線周波数スペクトル帯域を介して受信され得る。第１の送信は、第２の事業者から発信されたデータ（および、いくつかの例では、第２のノードから発信されたデータ）を含み得る。第１の送信はまた、第１の事業者と事業者の展開中の第２の事業者との間の合意に従って第１のノードによって送信されたデータを含み得る。ブロック１９１０における動作は、図１０、図１１、および／または図１３を参照しながら説明したワイヤレス通信管理モジュール１０２０、１１２０、および／または１３６０、ならびに／あるいは図１０および／または図１１を参照しながら説明したデータ受信管理モジュール１０３５および／または１１３５を使用して実行され得る。
【０２１２】
[0230]方法１９００のいくつかの例では、スケジューリング情報と第１の送信とを受信するＵＥは、第２の事業者に関連する第２のノードに接続され得る。これらの例では、およびブロック１９１５において、方法１９００は、無認可無線周波数スペクトル帯域を介して第２のノードから第２の送信を受信することを含み得る。第２の送信は、第２の事業者から発信されたデータを含み得る。いくつかの例では、第１の送信と第２の送信とは同時に受信され得る。いくつかの例では、第１の送信および／または第２の送信のうちの少なくとも１つは、ＭＢＭＳ送信、ユニキャスト送信、および／または第１のノードと第２のノードとによるＣｏＭＰ送信のうちの少なくとも１つの一部であり得る。いくつかの例では、第２の事業者から発信されたデータの第１の部分は、無認可無線周波数スペクトル帯域の第１のフレーム中に第１のノードから受信され得、第２の事業者から発信されたデータの第２の部分は、無認可無線周波数スペクトル帯域および／または認可無線周波数スペクトル帯域の第２のフレーム中に第２のノードから受信され得る。いくつかの例では、第１のフレームは第２のフレームの前に受信され得る。他の例では、第２のフレームは第１のフレームの前に受信され得る。他の例では、第１のフレームと第２のフレームとは同時に受信され得る。ブロック１９１５における動作は、図１０、図１１、および／または図１３を参照しながら説明したワイヤレス通信管理モジュール１０２０、１１２０、および／または１３６０、ならびに／あるいは図１０および／または図１１を参照しながら説明したデータ受信管理モジュール１０３５および／または１１３５を使用して実行され得る。
【０２１３】
[0231]したがって、方法１９００はワイヤレス通信を提供し得る。方法１９００は一実装形態にすぎず、方法１９００の動作は、他の実装形態が可能であるように再構成されるか、または場合によっては修正され得ることに留意されたい。
【０２１４】
[0232]場合によっては、方法１８００、および方法１９００の態様は組み合わされ得る。
【０２１５】
[0233]添付の図面に関して上記に記載した詳細な説明は、例について説明しており、実装され得るかまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。詳細な説明は、説明した技法の理解を与える目的で具体的な詳細を含む。ただし、これらの技法は、これらの具体的な詳細なしに実施され得る。いくつかの事例では、説明した例の概念を不明瞭にすることを避けるために、よく知られている構造および装置がブロック図の形態で示されている。
【０２１６】
[0234]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２１７】
[0235]本明細書の開示に関して説明した様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０２１８】
[0236]本明細書で説明した機能は、ハードウェア、プロセッサによって実行されるソフトウェア、ファームウェア、またはそれらの任意の組合せで実装され得る。プロセッサによって実行されるソフトウェアで実装された場合、機能は、非一時的コンピュータ可読媒体上に記憶されるか、あるいは非一時的コンピュータ可読媒体上で１つまたは複数の命令またはコードとして送信され得る。他の例および実装形態は、本開示および添付の特許請求の範囲の範囲および趣旨内にある。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用されるとき、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙（disjunctive list）を示す。
【０２１９】
[0237]コンピュータ可読媒体は、ある場所から別の場所へのコンピュータプログラムの転送を可能にする任意の媒体を含む通信媒体と、コンピュータ記憶媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、コンパクトディスク（ＣＤ）−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、ＣＤ（disc）、レーザディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０２２０】
[0238]本開示についての以上の説明は、当業者が本開示を作成または使用することができるように提供されるものである。本開示への様々な変更は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についてのいかなる選好も暗示または要求しない。したがって、本開示は、本明細書で説明した例および設計に限定されるべきでなく、本明細書で開示する原理および新規の特徴に合致する最も広い範囲を与えられるべきである。
【図１】
2020074540.tif 000003
【図２】
2020074540.tif 000004
【図３】
2020074540.tif 000005
【図４】
2020074540.tif 000006
【図５】
2020074540.tif 000007
【図６】
2020074540.tif 000008
【図７】
2020074540.tif 000009
【図８】
2020074540.tif 000010
【図９】
2020074540.tif 000011
【図１０】
2020074540.tif 000012
【図１１】
2020074540.tif 000013
【図１２】
2020074540.tif 000014
【図１３】
2020074540.tif 000015
【図１４】
2020074540.tif 000016
【図１５】
2020074540.tif 000017
【図１６】
2020074540.tif 000018
【図１７】
2020074540.tif 000019
【図１８】
2020074540.tif 000020
【図１９】
2020074540.tif 000021
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
無認可無線周波数スペクトル帯域を介して事業者の展開中の第１の事業者に関連する第１のノードに対するクリアチャネルアセスメント（ＣＣＡ）を実行することと、
前記ＣＣＡが成功すると、前記無認可無線周波数スペクトル帯域を介してデータを送信することと、前記データが、前記第１の事業者と事業者の前記展開中の第２の事業者との間の合意に従って前記第１のノードによって送信される、
を備える、ワイヤレス通信の方法。
【手続補正２】
【補正対象書類名】明細書
【補正対象項目名】０２２０
【補正方法】変更
【補正の内容】
【０２２０】
[0238]本開示についての以上の説明は、当業者が本開示を作成または使用することができるように提供されるものである。本開示への様々な変更は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についてのいかなる選好も暗示または要求しない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
［Ｃ１］
ワイヤレス通信の方法であって、
無認可無線周波数スペクトル帯域を介して事業者の展開中の第１の事業者に関連する第１のノードに対するクリアチャネルアセスメント（ＣＣＡ）を実行することと、
前記ＣＣＡが成功すると、前記無認可無線周波数スペクトル帯域を介してデータを送信することと、前記データが、前記第１の事業者と事業者の前記展開中の第２の事業者との間の合意に従って前記第１のノードによって送信される、
を備える、ワイヤレス通信の方法。
［Ｃ２］
前記第１のノードと前記第２の事業者に関連する第２のノードとの間で前記データの前記送信を協調させること
をさらに備える、Ｃ１に記載の方法。
［Ｃ３］
前記第１のノードによって、前記データの前記送信に関連するフレームのための前記ＣＣＡのロケーションを決定すること、
ここにおいて、前記フレームのための前記ＣＣＡの前記ロケーションが、前記第１のノードと前記第２のノードとに対して同じである、
をさらに備える、Ｃ２に記載の方法。
［Ｃ４］
前記第２の事業者からの前記データの前記送信に関連するフレームのための前記第２のノードのＣＣＡが失敗すると、前記第１のノードが前記データを送信する、Ｃ２に記載の方法。
［Ｃ５］
前記データの前記送信に関連するフレームのための前記第２のノードのＣＣＡが成功すると、前記第１のノードが、前記第２のノードによる前記データの送信と並行して、前記データを送信する、Ｃ２に記載の方法。
［Ｃ６］
前記第１のノードが、前記データを送信するためにマルチキャストチャネル（ＭＣＣＨ）構成を使用する、ここにおいて、前記ＭＣＣＨ構成が、前記第１のノードと前記第２のノードとに共通である、Ｃ２に記載の方法。
［Ｃ７］
前記第１のノードが、前記データを送信するために同期プロトコルデータユニット（ＳＹＮＣ  ＰＤＵ）を使用する、ここにおいて、前記ＳＹＮＣ  ＰＤＵが、前記第１のノードと前記第２のノードとに共通である、Ｃ２に記載の方法。
［Ｃ８］
前記データの前記送信が、マルチメディア・ブロードキャスト・マルチキャスト・サービス（ＭＢＭＳ）送信、ユニキャスト送信、または前記第１のノードと前記第２のノードとによる多地点協調（ＣｏＭＰ）送信のうちの少なくとも１つの一部である、Ｃ２に記載の方法。
［Ｃ９］
前記第１のノードによって、前記第２のノードの送信ステータスに基づいて、前記ＣＣＡが成功した前記無認可無線周波数スペクトル帯域のフレーム中に前記データを送信すべきかどうかを決定すること
をさらに備える、Ｃ２に記載の方法。
［Ｃ１０］
前記第２のノードによる前記データの送信を検出したことに応答して、前記フレーム中に前記第１のノードによって前記データを送信すること
をさらに備える、Ｃ９に記載の方法。
［Ｃ１１］
前記フレーム中に前記データの前記第２のノードによる送信の欠如を検出したことに応答して、前記フレーム中に前記第１のノードによって前記データを送信すること
をさらに備える、Ｃ９に記載の方法。
［Ｃ１２］
前記第１の事業者と前記第２の事業者との間の前記合意が、前記データを送信するために割り当てられる前記第１のノードの帯域幅の割合を定義する、Ｃ１に記載の方法。
［Ｃ１３］
前記第１の事業者と前記第２の事業者との間の前記合意が、あらかじめ定義された合意または機会主義的な合意のうちの少なくとも１つを備える、Ｃ１に記載の方法。
［Ｃ１４］
前記第１のノードによって、前記データの前記送信に関する情報を受信すること、前記情報が、ＯＡＭサーバ、前記第２の事業者に通信可能に結合された前記第１の事業者のマルチキャスト協調エンティティ、前記第２の事業者に関連する第２のノード、前記第１の事業者に関連する第３のノード、前記第２のノードによって送信されたサービス情報公報、または前記第２のノードによって送信されたマルチキャストチャネルのうちの少なくとも１つから受信される、
をさらに備える、Ｃ１に記載の方法。
［Ｃ１５］
前記データの前記送信に関する前記情報が、前記データまたは前記データの前記送信についての構成データのうちの少なくとも１つを備える、Ｃ１４に記載の方法。
［Ｃ１６］
ワイヤレス通信のための装置であって、
無認可無線周波数スペクトル帯域を介して事業者の展開中の第１の事業者に関連する第１のノードに対するクリアチャネルアセスメント（ＣＣＡ）を実行するための手段と、  前記ＣＣＡが成功すると、前記無認可無線周波数スペクトル帯域を介してデータを送信するための手段と、前記データが、前記第１の事業者と事業者の前記展開中の第２の事業者との間の合意に従って前記第１のノードによって送信される、
を備える、ワイヤレス通信のための装置。
［Ｃ１７］
前記第１のノードと前記第２の事業者に関連する第２のノードとの間で前記データの前記送信を協調させるための手段
をさらに備える、Ｃ１６に記載の装置。
［Ｃ１８］
前記第１のノードによって、前記データの前記送信に関連するフレームのための前記ＣＣＡのロケーションを決定するための手段、
ここにおいて、前記フレームのための前記ＣＣＡの前記ロケーションが、前記第１のノードと前記第２のノードとに対して同じである、
をさらに備える、Ｃ１７に記載の装置。
［Ｃ１９］
前記第２の事業者からの前記データの前記送信に関連するフレームのための前記第２のノードのＣＣＡが失敗すると、前記第１のノードが前記データを送信する、Ｃ１７に記載の装置。
［Ｃ２０］
前記データの前記送信に関連するフレームのための前記第２のノードのＣＣＡが成功すると、前記第１のノードが、前記第２のノードによる前記データの送信と並行して、前記データを送信する、Ｃ１７に記載の装置。
［Ｃ２１］
ワイヤレス通信のための装置であって、
プロセッサと、
前記プロセッサに結合されたメモリと、ここにおいて、前記プロセッサが、
無認可無線周波数スペクトル帯域を介して事業者の展開中の第１の事業者に関連する第１のノードに対するクリアチャネルアセスメント（ＣＣＡ）を実行することと、
前記ＣＣＡが成功すると、前記無認可無線周波数スペクトル帯域を介してデータを送信することと、前記データが、前記第１の事業者と事業者の前記展開中の第２の事業者との間の合意に従って前記第１のノードによって送信される、
を行うように構成された、
を備える、ワイヤレス通信のための装置。
［Ｃ２２］
前記プロセッサが、
前記第１のノードと前記第２の事業者に関連する第２のノードとの間で前記データの前記送信を協調させること
を行うように構成された、Ｃ２１に記載の装置。
［Ｃ２３］
前記プロセッサが、
前記第１のノードによって、前記データの前記送信に関連するフレームのための前記ＣＣＡのロケーションを決定すること、
ここにおいて、前記フレームのための前記ＣＣＡの前記ロケーションが、前記第１のノードと前記第２のノードとに対して同じである、
を行うように構成された、Ｃ２２に記載の装置。
［Ｃ２４］
前記第２の事業者からの前記データの前記送信に関連するフレームのための前記第２のノードのＣＣＡが失敗すると、前記第１のノードが前記データを送信する、Ｃ２２に記載の装置。
［Ｃ２５］
前記データの前記送信に関連するフレームのための前記第２のノードのＣＣＡが成功すると、前記第１のノードが、前記第２のノードによる前記データの送信と並行して、前記データを送信する、Ｃ２２に記載の装置。
［Ｃ２６］
前記第１のノードが、前記データを送信するためにマルチキャストチャネル（ＭＣＣＨ）構成を使用する、ここにおいて、前記ＭＣＣＨ構成が、前記第１のノードと前記第２のノードとに共通である、Ｃ２２に記載の装置。
［Ｃ２７］
前記データの前記送信が、マルチメディア・ブロードキャスト・マルチキャスト・サービス（ＭＢＭＳ）送信、ユニキャスト送信、または前記第１のノードと前記第２のノードとによる多地点協調（ＣｏＭＰ）送信のうちの少なくとも１つの一部である、Ｃ２２に記載の装置。
［Ｃ２８］
プロセッサによって実行可能な命令を記憶するための非一時的コンピュータ可読媒体であって、
無認可無線周波数スペクトル帯域を介して事業者の展開中の第１の事業者に関連する第１のノードに対するクリアチャネルアセスメント（ＣＣＡ）を実行するための命令と、
前記ＣＣＡが成功すると、前記無認可無線周波数スペクトル帯域を介してデータを送信するための命令と、前記データが、前記第１の事業者と事業者の前記展開中の第２の事業者との間の合意に従って前記第１のノードによって送信される、
を備える、非一時的コンピュータ可読媒体。
［Ｃ２９］
前記命令が、
前記第１のノードと前記第２の事業者に関連する第２のノードとの間で前記データの前記送信を協調させること
を行うために、前記プロセッサによって実行可能である、Ｃ２８に記載の非一時的コンピュータ可読媒体。
［Ｃ３０］
前記データの前記送信が、マルチメディア・ブロードキャスト・マルチキャスト・サービス（ＭＢＭＳ）送信、ユニキャスト送信、または前記第１のノードと前記第２のノードとによる多地点協調（ＣｏＭＰ）送信のうちの少なくとも１つの一部である、Ｃ２９に記載の非一時的コンピュータ可読媒体。
【外国語明細書】
2020074540000001.pdf